(57)【要約】【課題】可動端子部および固定端子部の動作不良を検出することができる補助端子部を備えた電磁リレーを提供する。【解決手段】電磁リレー１００は、固定端子部とは異なる形態を有する端子部であって、補助外部入力／出力端子部６２と、補助外部入力／出力端子部６２に電気的に接続され得る補助外部出力／入力端子部６３と、を有する補助固定端子部６２４３を備えている。また、電磁リレー１００は、可動端子部とは異なる形態を有する端子部であって、補助外部入力／出力端子部６２と補助外部出力／入力端子部６３とを電気的に接続させ得る補助可動端子部６５を備えている。【選択図】図２９
2015115248.tif 000002
【特許請求の範囲】
【請求項１】
外部入力／出力端子部と、前記外部入力／出力端子部に電気的に接続され得る外部出力／入力端子部と、を有する固定端子部と、
前記外部入力／出力端子部と前記外部出力／入力端子部とを電気的に接続させ得る可動端子部と、
前記固定端子部とは異なる形態を有する端子部であって、補助外部入力／出力端子部と、前記補助外部入力／出力端子部に電気的に接続され得る補助外部出力／入力端子部と、を有する補助固定端子部と、
前記可動端子部とは異なる形態を有する端子部であって、前記補助外部入力／出力端子部と前記補助外部出力／入力端子部とを電気的に接続させ得る補助可動端子部と、
前記可動端子部が前記外部入力／出力端子部および前記外部出力／入力端子部のそれぞれに電気的に接続されるか否かを切り替える場合に、前記補助可動端子部が前記補助外部入力／出力端子部および前記補助外部出力／入力端子部のそれぞれに電気的に接続されるか否かを切り替えるように、前記可動端子部および前記補助可動端子部のそれぞれを移動させる接極子と、を備えた、電磁リレー。
【請求項２】
前記可動端子部および前記固定端子部と前記補助固定端子部および前記補助可動端子部との間に設けられた仕切壁部を備えた、請求項１に記載の電磁リレー。
【請求項３】
前記補助可動端子部と前記補助固定端子部とが電気的に接続されるか否かを切り替えるように、前記補助可動端子部に接触しながら、前記補助可動端子部を移動させる補助駆動部を備え、
前記補助駆動部が前記接極子に取り付けられている、請求項１または２に記載の電磁リレー。
【請求項４】
前記接極子が導電性の部材で形成されており、
前記補助駆動部が絶縁性の部材で形成されている、請求項３に記載の電磁リレー。
【請求項５】
前記接極子は、前記補助可動端子部と前記補助固定端子部とが電気的に接続されるか否かを切り替えるように、前記補助可動端子部に接触しながら、前記補助可動端子部を移動させる補助駆動部を含む、請求項１または２に記載の電磁リレー。
【請求項６】
前記補助可動端子部が前記接極子に直接取り付けられた、請求項１または２に記載の電磁リレー。
【請求項７】
前記接極子は、前記固定端子部と前記可動端子部とが電気的に接続されているときに、前記補助可動端子部と前記補助固定端子部とが電気的に接続されていないように、前記可動端子部および前記補助可動端子部のそれぞれを移動させる、請求項１〜６のいずれかに記載の電磁リレー。
【請求項８】
前記補助可動端子部は、前記補助固定端子部に向かって下方から上方へ押し上げられることにより、前記補助固定端子部に電気的に接続される、請求項１〜７のいずれかに記載の電磁リレー。
【請求項９】
前記可動端子部および前記補助可動端子部を移動させるように前記接極子を駆動する電磁力を生じさせる電磁石部を備え、
前記補助可動端子部および前記補助固定端子部のそれぞれが、前記電磁石部の巻き線が巻き付けられたボビンによって直接的にまたは間接的に支持された、請求項１〜８のいずれかに記載の電磁リレー。
【請求項１０】
前記可動端子部および前記補助可動端子部を移動させるように前記接極子を駆動する電磁力を生じさせる電磁石部と、
前記固定端子部、前記可動端子部、前記補助固定端子部、前記補助可動端子部、前記接極子、および前記電磁石部を直接的または間接的に支持する土台部であって、前記外部入力／出力端子部の先端部、前記外部出力／入力端子部の先端部、前記補助外部入力／出力端子部の先端部、および前記補助外部出力／入力端子部の先端部のそれぞれが外部へ突出するボディと、を備えた請求項１〜８のいずれかに記載の電磁リレー。
【請求項１１】
前記補助固定端子部が、前記ボディによって直接的にまたは間接的に支持された、請求項１０に記載の電磁リレー。
【請求項１２】
前記固定端子部、前記可動端子部、前記補助固定端子部、前記補助可動端子部、前記接極子、および前記電磁石部を内包するように前記ボディに取り付けられたカバーを備えた、請求項１０または１１に記載の電磁リレー。
【請求項１３】
前記カバーは、実質的に長方体形状の内部空間を有しており、
前記補助固定端子部は、平面視において、前記カバーの４つの角部のうちの前記可動端子部よりも前記電磁石部に近い角部と前記電磁石部との間の空間に設けられた、請求項１２に記載の電磁リレー。
【請求項１４】
前記補助外部入力／出力端子部の前記先端部および前記補助外部出力／入力端子部の前記先端部のそれぞれは、前記外部入力／出力端子部の前記先端部および前記外部出力／入力端子部の前記先端部のそれぞれから視覚によって識別され得る外観を有している、請求項１０〜１３のいずれかに記載の電磁リレー。
【請求項１５】
前記補助外部入力／出力端子部の前記先端部および前記補助外部出力／入力端子部の前記先端部のそれぞれは、断面積において、前記外部入力／出力端子部の前記先端部および前記外部出力／入力端子部の前記先端部のそれぞれよりも小さい、請求項１０〜１４のいずれかに記載の電磁リレー。
【請求項１６】
前記外部入力／出力端子部の前記先端部と前記外部出力／入力端子部の先端部とを結ぶ仮想の直線は、前記補助外部入力／出力端子部の前記先端部と前記補助外部出力／入力端子部の前記先端部とを結ぶ仮想の直線に実質的に平行である、請求項１０〜１５のいずれかに記載の電磁リレー。
【請求項１７】
外部入力／出力端子部と、前記外部入力／出力端子部に電気的に接続され得る外部出力／入力端子部と、を有する固定端子部と、
前記外部入力／出力端子部と前記外部出力／入力端子部とを電気的に接続させ得る可動端子部と、
他の外部入力／出力端子部と、前記他の外部出力／入力端子部に電気的に接続され得る他の外部出力／入力端子部と、を有する他の固定端子部と、
前記他の外部入力／出力端子部と前記他の外部出力／入力端子部とを電気的に接続させ得る他の可動端子部と、
前記固定端子部および前記他の固定端子部とは異なる形態を有する端子部であって、補助外部入力／出力端子部と、前記補助外部入力／出力端子部に電気的に接続され得る補助外部出力／入力端子部と、を有する補助固定端子部と、
前記可動端子部および前記他の可動端子部とは異なる形態を有する端子部であって、前記補助外部入力／出力端子部と前記補助外部出力／入力端子部とを電気的に接続させ得る補助可動端子部と、
前記可動端子部が前記外部入力／出力端子部および前記外部出力／入力端子部のそれぞれに電気的に接続されるか否かを切り替え、かつ、前記他の可動端子部が前記他の外部入力／出力端子部および前記他の外部出力／入力端子部のそれぞれに電気的に接続されるか否かを切り替える場合に、前記補助可動端子部が前記補助外部入力／出力端子部および前記補助外部出力／入力端子部のそれぞれに電気的に接続されるか否かを切り替えるように、前記可動端子部、前記他の可動端子部、および前記補助可動端子部のそれぞれを移動させる接極子と、を備えた電磁リレー。
【請求項１８】
前記可動端子部、前記他の可動端子部、および前記補助可動端子部を移動させるように前記接極子を駆動する電磁力を生じさせる電磁石部と、
前記固定端子部、前記可動端子部、前記他の固定端子部、前記他の可動端子部、前記補助固定端子部、前記補助可動端子部、前記接極子、および前記電磁石部を直接的または間接的に支持する土台部であって、前記外部入力／出力端子部の先端部、前記外部出力／入力端子部の先端部、前記他の外部入力／出力端子部の先端部、前記他の外部出力／入力端子部の先端部、前記前記補助外部入力／出力端子部の先端部、および前記補助外部出力／入力端子部の先端部のそれぞれが外部へ突出するボディと、
前記固定端子部、前記他の固定端子部、前記可動端子部、前記他の可動端子部、前記補助固定端子部、前記補助可動端子部、前記接極子、および前記電磁石部を内包するように前記ボディに取り付けられたカバーと、を備え、
前記補助外部入力／出力端子部の前記先端部および前記補助外部出力／入力端子部の前記先端部のそれぞれは、前記外部入力／出力端子部の前記先端部、前記外部出力／入力端子部の前記先端部、前記他の外部入力／出力端子部の前記先端部、および前記他の外部出力／入力端子部の前記先端部のそれぞれから視覚によって識別され得る外観を有している、請求項１７に記載の電磁リレー。
【請求項１９】
前記可動端子部および前記他の可動端子部が、平面視において、仮想の直線上に実質的に一列に並ぶように設けられ、前記仮想の直線を横切る方向に移動することが可能である、請求項１７または１８に記載の電磁リレー。 
【発明の詳細な説明】
【技術分野】
【０００１】
本発明は、配線基板上の電気配線に接続されるスイッチとしての電磁リレーに関する。
【背景技術】
【０００２】
従来から配線基板上の電気配線に接続されるスイッチとして電磁リレーが用いられている。従来の電磁リレーは、外部入力／出力端子部と、外部入力／出力端子部に電気的に接続される外部出力／入力端子部と、を有する固定端子部を備えている。また、従来の電磁リレーは、外部入力／出力端子部と外部出力／入力端子部とを電気的に接続させ得る可動端子部を備えている。そのような従来の電磁リレーは、たとえば、下記の特許文献１に開示されている。
【先行技術文献】
【特許文献】
【０００３】
【特許文献１】特開２０１３−０８０６９２号公報
【発明の概要】
【発明が解決しようとする課題】
【０００４】
上記した従来の電磁リレーにおいては、可動端子部および固定端子部の動作不良、たとえば、可動端子部と固定端子部との溶着の発生の有無を検出することができる補助端子部は設けられていない。
【０００５】
そこで、本発明は、上述した実情に鑑みて提案されたものであり、可動端子部および固定端子部の動作不良を検出することができる補助端子部を備えた電磁リレーを提供することを目的とする。
【課題を解決するための手段】
【０００６】
本発明の第１の実施の形態の電磁リレーは、外部入力／出力端子部と、前記外部入力／出力端子部に電気的に接続され得る外部出力／入力端子部と、を有する固定端子部と、前記外部入力／出力端子部と前記外部出力／入力端子部とを電気的に接続させ得る可動端子部と、前記固定端子部とは異なる形態を有する端子部であって、補助外部入力／出力端子部と、前記補助外部入力／出力端子部に電気的に接続され得る補助外部出力／入力端子部と、を有する補助固定端子部と、前記可動端子部とは異なる形態を有する端子部であって、前記補助外部入力／出力端子部と前記補助外部出力／入力端子部とを電気的に接続させ得る補助可動端子部と、前記可動端子部が前記外部入力／出力端子部および前記外部出力／入力端子部のそれぞれに電気的に接続されるか否かを切り替える場合に、前記補助可動端子部が前記補助外部入力／出力端子部および前記補助外部出力／入力端子部のそれぞれに電気的に接続されるか否かを切り替えるように、前記可動端子部および前記補助可動端子部を移動させる接極子と、を備えている。
【０００７】
本発明の第２の実施の形態の電磁リレーは、前記可動端子部および前記固定端子部と前記補助固定端子部および前記補助可動端子部との間に設けられた仕切壁部を備えている。
【０００８】
本発明の第３の実施の形態の電磁リレーは、前記補助可動端子部と前記補助固定端子部とが電気的に接続されるか否かを切り替えるように、前記補助可動端子部に接触しながら、前記補助可動端子部を移動させる補助駆動部を備え、前記補助駆動部が前記接極子に取り付けられている。
【０００９】
本発明の第４の実施の形態の電磁リレーは、前記接極子が導電性の部材で形成されており、前記補助駆動部が絶縁性の部材で形成されている。
【００１０】
本発明の第５の実施の形態の電磁リレーは、前記接極子が、前記補助可動端子部と前記補助固定端子部とが電気的に接続されるか否かを切り替えるように、前記補助可動端子部に接触しながら、前記補助可動端子部を移動させる補助駆動部を含む。
【００１１】
本発明の第６の実施の形態の電磁リレーは、前記補助可動端子部が前記接極子に直接取り付けられている。
【００１２】
本発明の第７の実施の形態の電磁リレーは、前記接極子が、前記固定端子部と前記可動端子部とが電気的に接続されているときに、前記補助可動端子部と前記補助固定端子部とが電気的に接続されていないように、前記可動端子部および前記補助可動端子部のそれぞれを移動させる。
【００１３】
本発明の第８の実施の形態の電磁リレーは、前記補助可動端子部が、前記補助固定端子部に向かって下方から上方へ押し上げられることにより、前記補助固定端子部に電気的に接続される。
【００１４】
本発明の第９の実施の形態の電磁リレーは、前記可動端子部および前記補助可動端子部を移動させるように前記接極子を駆動する電磁力を生じさせる電磁石部を備え、前記補助可動端子部および前記補助固定端子のそれぞれが、前記電磁石部の巻き線が巻き付けられたボビンによって直接的にまたは間接的に支持されている。
【００１５】
本発明の第１０の実施の形態の電磁リレーは、前記可動端子部および前記補助可動端子部を移動させるように前記接極子を駆動する電磁力を生じさせる電磁石部と、前記固定端子部、前記可動端子部、前記補助固定端子部、前記補助可動端子部、前記接極子、および前記電磁石部を直接的または間接的に支持する土台部であって、前記外部入力／出力端子部の先端部、前記外部出力／入力端子部の先端部、前記補助外部入力／出力端子部の先端部、および前記補助外部出力／入力端子部の先端部のそれぞれが外部へ突出するボディと、を備えている。
【００１６】
本発明の第１１の実施の形態の電磁リレーは、前記補助固定端子部が、前記ボディによって直接的にまたは間接的に支持されている。
【００１７】
本発明の第１２の実施の形態の電磁リレーは、前記固定端子部、前記可動端子部、前記補助固定端子部、前記補助可動端子部、前記接極子、および前記電磁石部を内包するように前記ボディに取り付けられたカバーを備えている。
【００１８】
本発明の第１３の実施の形態の電磁リレーは、前記カバーが、実質的に長方体形状の内部空間を有しており、前記補助固定端子部は、平面視において、前記カバーの４つの角部のうちの前記可動端子部よりも前記電磁石部に近い角部と前記電磁石部との間の空間に設けられている。
【００１９】
本発明の第１４の実施の形態の電磁リレーは、前記補助外部入力／出力端子部の前記先端部および前記補助外部出力／入力端子部の前記先端部のそれぞれが、前記外部入力／出力端子部の前記先端部および前記外部出力／入力端子部の前記先端部のそれぞれから視覚によって識別され得る外観を有している。
【００２０】
本発明の第１５の実施の形態の電磁リレーは、前記補助外部入力／出力端子部の前記先端部および前記補助外部出力／入力端子部の前記先端部のそれぞれが、断面積において、前記外部入力／出力端子部の前記先端部および前記外部出力／入力端子部の前記先端部のそれぞれよりも小さい。
【００２１】
本発明の第１６の実施の形態の電磁リレーは、前記外部入力／出力端子部の前記先端部と前記外部出力／入力端子部の先端部とを結ぶ仮想の直線が、前記補助外部入力／出力端子部の前記先端部と前記補助外部出力／入力端子部の前記先端部とを結ぶ仮想の直線に実質的に平行である。
【００２２】
本発明の第１７の実施の形態の電磁リレーは、外部入力／出力端子部と、前記外部入力／出力端子部に電気的に接続され得る外部出力／入力端子部と、を有する固定端子部と、前記外部入力／出力端子部と前記外部出力／入力端子部とを電気的に接続させ得る可動端子部と、他の外部入力／出力端子部と、前記他の外部出力／入力端子部に電気的に接続され得る他の外部出力／入力端子部と、を有する他の固定端子部と、前記他の外部入力／出力端子部と前記他の外部出力／入力端子部とを電気的に接続させ得る他の可動端子部と、前記固定端子部および前記他の固定端子部とは異なる形態を有する端子部であって、補助外部入力／出力端子部と、前記補助外部入力／出力端子部に電気的に接続され得る補助外部出力／入力端子部と、を有する補助固定端子部と、前記可動端子部および前記他の可動端子部とは異なる形態を有する端子部であって、前記補助外部入力／出力端子部と前記補助外部出力／入力端子部とを電気的に接続させ得る補助可動端子部と、前記可動端子部が前記外部入力／出力端子部および前記外部出力／入力端子部のそれぞれに電気的に接続されるか否かを切り替え、かつ、前記他の可動端子部が前記他の外部入力／出力端子部および前記他の外部出力／入力端子部のそれぞれに電気的に接続されるか否かを切り替える場合に、前記補助可動端子部が前記補助外部入力／出力端子部および前記補助外部出力／入力端子部のそれぞれに電気的に接続されるか否かを切り替えるように、前記可動端子部、前記他の可動端子部、および前記補助可動端子部を移動させる接極子と、を備えている。
【００２３】
本発明の第１８の実施の形態の電磁リレーは、前記可動端子部、前記他の可動端子部、および前記補助可動端子部を移動させるように前記接極子を駆動する電磁力を生じさせる電磁石部と、前記固定端子部、前記可動端子部、前記他の固定端子部、前記他の可動端子部、前記補助固定端子部、前記補助可動端子部、前記接極子、および前記電磁石部を直接的または間接的に支持する土台部であって、前記外部入力／出力端子部の先端部、前記外部出力／入力端子部の先端部、前記他の外部入力／出力端子部の先端部、前記他の外部出力／入力端子部の先端部、前記前記補助外部入力／出力端子部の先端部、および前記補助外部出力／入力端子部の先端部のそれぞれが外部へ突出するボディと、前記固定端子部、前記他の固定端子部、前記可動端子部、前記他の可動端子部、前記補助固定端子部、前記補助可動端子部、前記接極子、および前記電磁石部を内包するように前記ボディに取り付けられたカバーと、を備え、前記補助外部入力／出力端子部の前記先端部および前記補助外部出力／入力端子部の前記先端部のそれぞれは、前記外部入力／出力端子部の前記先端部、前記外部出力／入力端子部の前記先端部、前記他の外部入力／出力端子部の前記先端部、および前記他の外部出力／入力端子部の前記先端部のそれぞれから視覚によって識別され得る外観を有している。
【００２４】
本発明の第１９の実施の形態の電磁リレーは、前記可動端子部および前記他の可動端子部が、平面視において、仮想の直線上に実質的に一列に並ぶように設けられ、前記仮想の直線を横切る方向に移動することが可能である。
【発明の効果】
【００２５】
上記の本発明によれば、可動端子部および固定端子部の動作不良を検出することができる補助端子部を備えた電磁リレーが得られる。
【図面の簡単な説明】
【００２６】
【図１】本発明の実施の形態の電磁リレーが用いられる太陽光発電システムの概略構成を示す図である。
【図２】本発明の実施の形態１の電磁リレーの斜視図である。
【図３】本発明の実施の形態１の電子リレーがカバーとリレー本体とに分解された状態を示す斜視図である。
【図４】本発明の実施の形態１の電磁リレーのリレー本体の側面図である。
【図５】本発明の実施の形態１の電磁リレーのリレー本体の分解斜視図である。
【図６】本発明の実施の形態１の電磁リレーのボディの斜視図である。
【図７】本発明の実施の形態１の電磁リレーの電磁石部の分解斜視図である。
【図８】本発明の実施の形態１の電磁リレーの巻き線、コイル端子、およびボビンを示す分解斜視図である。
【図９】本発明の実施の形態１の電磁リレーの可動部の分解斜視図である。
【図１０】本発明の実施の形態１の電磁リレーの可動端子部の正面図である。
【図１１】本発明の実施の形態１の電磁リレーのリレー本体の正面図である。
【図１２】本発明の実施の形態１の電磁リレーの可動端子部の特徴を説明するための第１の模式図である。
【図１３】本発明の実施の形態１の電磁リレーの可動端子部の特徴を説明するための第２の模式図である。
【図１４】本発明の実施の形態１の電磁リレーの可動端子部の特徴を説明するための第３の模式図である。
【図１５】本発明の実施の形態１の電磁リレーの固定端子部の斜視図である。
【図１６】本発明の実施の形態１の電磁リレーの固定端子部の平面図である。
【図１７】本発明の実施の形態１の電磁リレーの固定端子部の底面図である。
【図１８】本発明の実施の形態１の電磁リレーのリレー本体の平断面図であるが、実施の形態１および２の電磁リレーの双方の説明のために、補助固定端子部の補助外部入力／出力端子部および補助外部出力／入力端子部が設けられる位置が仮想的に描かれている図である。
【図１９】本発明の実施の形態１の電磁リレーの底面を見たときの斜視図である。
【図２０】本発明の実施の形態１の電磁リレーの正面図である。
【図２１】本発明の実施の形態１の電磁リレーの側面図である。
【図２２】本発明の実施の形態１の電磁リレーの底面図である。
【図２３】本発明の実施の形態１の電磁リレーが搭載されるプリント配線基板の部分模式図である。
【図２４】本発明の実施の形態１の電磁リレーが搭載されるプリント配線基板における配線パターンの模式図である。
【図２５】比較例の電磁リレーが搭載されるプリント配線基板における第１の比較例の配線パターン模式図である。
【図２６】比較例の電磁リレーが搭載されるプリント配線基板における第２の比較例の配線パターン模式図である。
【図２７】本発明の実施の形態１の電磁リレーの可動端子部と固定端子部とが接触していない状態（ＯＦＦ）を示す斜視図である。
【図２８】本発明の実施の形態１の電磁リレーの可動端子部と固定端子部とが接触している状態（ＯＮ）を示す斜視図である。
【図２９】本発明の実施の形態２の電磁リレーの第１の例のリレー本体の斜視図であって、第１の例の補助可動端子部および補助固定端子部を説明するための図である。
【図３０】本発明の実施の形態２の電磁リレーの第１の例のリレー本体の斜視図であって、補助外部入力／出力端子部の先端部および補助外部出力／入力端子部の先端部を示す斜視図である。
【図３１】本発明の実施の形態２の電磁リレーの第１の例の補助可動端子部および補助固定端子部を示す分解斜視図である。
【図３２】本発明の実施の形態２の電磁リレーの第１の例の補助可動端子部の可動接点と補助固定端子部の固定接点とが接触している状態を示す拡大分解斜視図である。
【図３３】本発明の実施の形態２の電磁リレーの第１の例のリレー本体の側面図である。
【図３４】本発明の実施の形態２の電磁リレーの第１の例のリレー本体の背面図である。
【図３５】本発明の実施の形態２の電磁リレーの第１の例のリレー本体の平面図である。
【図３６】本発明の実施の形態２の電磁リレーの第２の例のリレー本体の斜視図であって、第２の例の補助可動端子部および補助固定端子部を説明するための図である。
【図３７】本発明の実施の形態２の電磁リレーの第３の例のリレー本体の斜視図であって、第３の例の補助可動端子部および補助固定端子部を説明するための図である。
【図３８】本発明の実施の形態２の電磁リレーの第４の例のリレー本体の斜視図であって、第４の例の補助可動端子部および補助固定端子部を説明するための図である。
【図３９】本発明の実施の形態２の電磁リレーの第５の例のリレー本体の斜視図であって、第５の例の補助可動端子部および補助固定端子部を説明するための図である。
【図４０】本発明の実施の形態２の電磁リレーの第６の例の補助可動端子部および補助固定端子部を説明するための図である。
【図４１】本発明の実施の形態２の電磁リレーの第１〜第６の例のリレー本体の底面図である。
【図４２】本発明の実施の形態２の電磁リレーの外部に露出する複数種類の端子部の電気回路図である。
【図４３】本発明の実施の形態２の電磁リレーの可動端子部と固定端子部とが接触していない状態（ＯＦＦ）を示す斜視図である。
【図４４】本発明の実施の形態２の電磁リレーの可動端子部と固定端子部とが接触している状態（ＯＮ）を示す斜視図である。
【図４５】本発明の実施の形態２の電磁リレーの可動端子部と固定端子部とが溶着した状態を示す斜視図である。
【発明を実施するための形態】
【００２７】
以下、図面を参照しながら、本発明の実施の形態の電磁リレー１００を説明する。なお、以下の実施の形態の説明においては、図面の参照符号に関して、括弧が付されずに記載された参照符号と括弧内に記載された参照符号とが連続して記載されている場合がある。この場合には、括弧が付されずに記載された参照符号同士が対応しており、かつ、括弧内に記載された参照符号同士が対応している。
【００２８】
(実施の形態１)
図１〜図２８を参照して、本発明の実施の形態１の電磁リレー１００を説明する。
【００２９】
本実施の形態の電磁リレー１００は、太陽光発電システムにおける交流回路に電気的に接続されることが想定されている。
【００３０】
図１に示すように、本実施の形態の電磁リレー１００の接続が想定される太陽光発電システムは、太陽光を受けて発電する太陽光発電パネル７０を備えている。太陽光発電パネル７０は、太陽光により発電された直流電流を、直流継電器８０を経由して、直流／交流変換器９０へ送る。直流／交流変換器９０においては、前述の直流電流が交流電流に変換される。その交流電流は、本実施の形態の電磁リレー１００を経由して、負荷１１０へ送られる。このような太陽光発電システムにおいて、電磁リレー１００は、交流電流を流す状態および交流電流を流さない状態のいずれかを選択するためのスイッチとして機能する。
【００３１】
ただし、本実施の形態の電磁リレー１００は、太陽光発電システムにおける電気回路において使用されるものに限定されず、他のいかなるシステムにおいて使用されてもよい。また、電磁リレー１００は、スイッチとして機能するのであれば、直流回路に電気的に接続されてもよい。
【００３２】
以下、本実施の形態の電磁リレー１００を具体的に説明する。
【００３３】
図２および図３に示すように、本実施の形態の電磁リレー１００は、実質的に直方体形状の外側表面を有している。ただし、電磁リレー１００の外側表面の形状は、いかなるものであってもよい。
【００３４】
本実施の形態の電磁リレー１００は、リレー本体２とリレー本体２を覆う蓋部材としてのカバー１とを備えている。カバー１は、実質的に直方体形状の内部空間を有している。カバー１は、樹脂で形成されている。なお、カバー１は、透明であっても、不透明であってもよい。
【００３５】
なお、本明細書において、「実質的に直方体」とは、多少の凹凸があっても、その外表面の大部分を占める面に沿って描かれた仮想の６面体が全体として直方体形状をなすものを意味する。
【００３６】
図４および図５に示すように、リレー本体２は、土台部としてのボディ１０を備えている。ボディ１０は、図４および図５に示すように、電磁石部２０、復帰ばね３０、可動部４０、および一組の固定端子部５０を直接的にまたは間接的に支持している。
【００３７】
以下、本明細書において、「直接的に支持する」とは、支持する部材が支持される部材に接触していることを意味する。また、「間接的に支持する」とは、支持する部材と支持される部材との間に別の部材が挟まれていることを意味する。
【００３８】
電磁石部２０は、電磁力を発生させる。可動部４０は、電磁石部２０が発生した電磁力によって電磁石部２０に近づくように引き寄せられる。可動部４０においては、図４に示すように、可動部４０を構成する可動端子部４７の先端部の近傍には、一例として可動接点４５ａが設けられている。
【００３９】
可動部４０が、電磁石部２０に向かって引き寄せられると、復帰ばね３０の復元力に逆らって、可動接点４５ａ（４５ｂ，４６ａ，４６ｂ）が、図４に示される位置から移動し、一組の固定端子部５０の上端部の近傍に設けられた固定接点５２ｂ（５１ｂ，５４ｂ，５３ｂ）に接触する。一方、可動部４０は、電磁石部２０の電磁力が消失した場合には、金属製の復帰ばね３０の復元力により図４に示す位置に戻される。これらの部分の構成および動作の詳細は、後述される。
【００４０】
図６に示すように、ボディ１０は、絶縁性を有する樹脂材料により一体的に成形された成形品である。したがって、ボディ１０の底板部９の内側面から立上る部分は、絶縁壁部１１，１２，１３を構成する。また、絶縁壁部１１，１２，１３に対して実質的に垂直な方向に延び、かつ、ボディ１０の底板部９の内側面から立上る部分は、仕切壁部１４を構成する。これらの壁の機能は、後述される。
【００４１】
図７および図８に示すように、電磁石部２０は、鉄芯２６と、鉄芯２６が挿入されるボビン２１と、ボビン２１に巻き付けられている巻き線２５と、ボビン２１に取り付けられる継鉄２７とを備えている。ボビン２１は、上鍔部２２と、下鍔部２３と、上鍔部２２と下鍔部２３とを接続する円柱部２４とを備えている。
【００４２】
上鍔部２２は、後述される実施の形態２の補助可動端子部６５および補助固定端子部６２４３が設置される支持部２１ａ１，２１ａ２を備えている。下鍔部２３は、ボディ１０の底板部９の上面に固定される。円柱部２４には、巻き線２５が巻き付けられている。ボビン２１の下鍔部２３には、一対の貫通孔が設けられており、一対の貫通孔には、一対のコイル端子部２５ａ１，２５２ａが挿入されている。一対のコイル端子部２５ａ１および２５ａ２は、それぞれ、巻き線２５の両端部に電気的に接続されている。なお、ボビン２１は、樹脂製の成形品である。
【００４３】
また、継鉄２７は、図７に示すように、後述される接極子４１を受け入れる凹部を構成するための突出部２７ａ，２７ｂを備えている。接極子４１は、継鉄２７の突出部２７ａ，２７ｂによって形成された凹部の底面２７ｃを梃子の支点として、電磁石部２０が生じさせる電磁力によって、シーソーのように回動する。これら部分の機能の詳細は、後述される。
【００４４】
図９〜図１４を参照して、本実施の形態の電磁リレー１００の可動端子部４７（４８）を説明する。
【００４５】
図９および図１０に示すように、可動部４０は、接極子４１、ホルダー４２、および可動端子部４７，４８を備えている。次に、可動部４０は、接極子４１、ホルダー４２、および可動端子部４７，４８のそれぞれが具体的に説明される。
【００４６】
接極子４１は、導電性の金属で形成されている。接極子４１は、電磁石部２０の上方に位置付けられている。接極子４１は、電磁石部２０が発生する電磁力により、継鉄２７の凹部の底面２７ｃを支点として回動する水平部４１ｂを備えている。接極子４１は、水平部４１ｂから下方へ延びる垂直部４１ｃを備えている。また、接極子４１は、復帰ばね３０が挿入される貫通孔４１ｄを備えている。
【００４７】
ホルダー４２は、絶縁性の樹脂成形品である。ホルダー４２には、上下の空間を連通させる挿入孔４２ａが形成されている。挿入孔４２ａは、その内部でそれぞれが独立した２つの貫通孔に分けられている。ホルダー４２の挿入孔４２ａ内の一方の貫通孔には、接極子４１の垂直部４１ｃが上方から下方へ挿入される。ホルダー４２の挿入孔４２ａ内の他方の貫通孔には、可動端子部４７および可動端子部４８のそれぞれの上端部が下方から上方へ向かって挿入されている。したがって、ホルダー４２内では、接極子４１の垂直部４１ｃと可動端子部４７および可動端子部４８のそれぞれの上端部とは、それらの間に存在するホルダー４２の一部によって絶縁されている。
【００４８】
図９および図１０を参照して、可動端子部４７の詳細を説明する。
【００４９】
可動端子部４７は、導電性の可動ばね４３ａと、可動ばね４３ａの前面に接触するように設けられた導電性の接触子４３ｂとを備えている。可動ばね４３ａは、全体的に略板状に形成されており、純銅で形成された接触子４３ｂに対して相対的に弾性係数が大きい銅合金で形成されている。接触子４３ｂは、全体的に略板状に形成されており、銅合金で形成された可動ばね４３ａに対して相対的に導電率が高い純銅で形成されている。したがって、可動端子部４７は、高いばね性能と高い導電性との双方を兼ね備えた２層（複数層）の合成構造体となっている。本明細書において、「全体的に略板状」とは、厳密な直方体の板部材と、厳密な直方体の板部材の角部が丸く加工されているが、その大部分の平面を延長することにより、直方体を描くことができる形状とを含む。
【００５０】
可動ばね４３ａは、板状の第１の片持ち梁部４３ａ１と板状の第２の片持ち梁部４３ａ２とを備えている。第１の片持ち梁部４３ａ１および第２の片持ち梁部４３ａ２は、互いに実質的に平行に延びている。第１の片持ち梁部４３ａ１および第２の片持ち梁部４３ａ２のそれぞれは、ホルダー４２が延びる方向に対して実質的に垂直に延びている。
【００５１】
なお、本明細書において、「実質的に平行」または「実質的に垂直」とは、設計上、仮想線に沿って延びる部品同士が、設計上互いに「平行」または「垂直」に配置されることが予定されていることを意味する。言い換えれば、本明細書において、「実質的に平行」または「実質的に垂直」とは、各部品の製造誤差のために、仮想線に沿って延びる部品同士が厳密な意味での「平行」および「垂直」に配置されていなくてもよいことを意味する。
【００５２】
第１の片持ち梁部４３ａ１の一方の端部と第２の片持ち梁部４３ａ２の一方の端部とは、板状の第１梁−第２梁接続部４３ａ３によって物理的に接続されている。それにより、第１梁−第２梁接続部４３ａ３は、第１の片持ち梁部４３ａ１と第２の片持ち梁部４３ａ２とを電気的に接続している。第１梁−第２梁接続部４３ａ３は、その全体がホルダー４２内に収容されている。
【００５３】
接触子４３ｂは、板状の第３の片持ち梁部４３ｂ１と板状の第４の片持ち梁部４３ｂ２とを備えている。第３の片持ち梁部４３ｂ１および第４の片持ち梁部４３ｂ２は、互いに実質的に平行に延びている。第３の片持ち梁部４３ｂ１および第４の片持ち梁部４３ｂ２のそれぞれは、ホルダー４２が延びる方向に対して実質的に垂直に延びている。第３の片持ち梁部４３ｂ１の一方の端部と第４の片持ち梁部４３ｂ２の一方の端部とは、板状の第３梁−第４梁接続部４３ｂ３によって物理的に接続されている。それにより、第３梁−第４梁接続部４３ｂ３は、第３の片持ち梁部４３ｂ１と第４の片持ち梁部４３ｂ２とを電気的に接続している。
【００５４】
上記の第１の片持ち梁部４３ａ１と第３の片持ち梁部４３ｂ１とにより、第１の合成片持ち梁部４３ａｂ１が形成されている。上記の第２の片持ち梁部４３ａ２と第４の片持ち梁部４３ｂ２とにより第２の合成片持ち梁部４３ａｂ２が形成されている。
【００５５】
可動ばね４３ａの第１の片持ち梁部４３ａの先端部および第２の片持ち梁部４３ａ２の先端部には、それぞれ、貫通孔４０１ａおよび４０２ａが設けられている。接触子４３ｂの第３の片持ち梁部４３ｂ１の先端部および第４の片持ち梁部４３ｂ２の先端部には、貫通孔４０１ｂおよび４０２ｂが設けられている。一対の貫通孔４０１ａおよび４０１ｂには、可動接点４５ａが挿入されている。一対の貫通孔４０２ａおよび４０２ｂには、可動接点４５ｂが挿入されている。それにより、可動ばね４３ａと接触子４３ｂとは、互いに接触しながら、一体構造部を形成している。
【００５６】
図９および図１０を参照して、可動端子部４８の詳細を説明する。
【００５７】
可動端子部４８は、導電性の可動ばね４４ａと可動ばね４４ａの前面に接触するように設けられた導電性の接触子４４ｂとを備えている。可動ばね４４ａは、全体的に略板状に形成されており、純銅で形成された接触子４４ｂに対して相対的に弾性係数が大きい銅合金で形成されている。接触子４４ｂは、全体的に略板状に形成されており、銅合金で形成された可動ばね４４ａに対して相対的に導電率が高い純銅で形成されている。したがって、可動端子部４８は、高いばね性能と高い導電性との双方を兼ね備えた２層（複数層）の合成構造体となっている。
【００５８】
可動ばね４４ａは、板状の第１の片持ち梁部４４ａ１と板状の第２の片持ち梁部４４ａ２とを備えている。第１の片持ち梁部４４ａ１および第２の片持ち梁部４４ａ２は、互いに実質的に平行に延びている。第１の片持ち梁部４４ａ１および第２の片持ち梁部４４ａ２のそれぞれは、ホルダー４２が延びる方向に対して実質的に垂直に延びている。
【００５９】
第１の片持ち梁部４４ａ１の一方の端部と第２の片持ち梁部４４ａ２の一方の端部とは、板状の第１梁−第２梁接続部４４ａ３によって物理的に接続されている。それにより、第１梁−第２梁接続部４４ａ３は、第１の片持ち梁部４４ａ１と第２の片持ち梁部４４ａ２とを電気的に接続している。第１梁−第２梁接続部４４ａ３は、その全体がホルダー４２内に収容されている。
【００６０】
接触子４４ｂは、板状の第３の片持ち梁部４４ｂ１と板状の第４の片持ち梁部４４ｂ２とを備えている。第３の片持ち梁部４４ｂ１および第４の片持ち梁部４４ｂ２は、互いに実質的に平行に延びている。第３の片持ち梁部４４ｂ１および第４の片持ち梁部４４ｂ２のそれぞれは、ホルダー４２が延びる方向に対して実質的に垂直に延びている。
【００６１】
第３の片持ち梁部４４ｂ１の一方の端部と第４の片持ち梁部４４ｂ２の一方の端部とは、板状の第３梁−第４梁接続部４４ｂ３によって物理的に接続されている。それにより、第３梁−第４梁接続部４４ｂ３は、第３の片持ち梁部４４ｂ１と第４の片持ち梁部４４ｂ２とを電気的に接続している。
【００６２】
第１の片持ち梁部４４ａ１と第３の片持ち梁部４４ｂ１とにより、第１の合成片持ち梁部４４ａｂ１が形成されている。第２の片持ち梁部４４ａ２と第３の片持ち梁部４４ｂ２とにより第２の合成片持ち梁部４４ａｂ２が形成されている。
【００６３】
可動ばね４４ａの第１の片持ち梁部４４ａ１の先端部および第２の片持ち梁部４４ａ２の先端部には、それぞれ、貫通孔４０３ａおよび４０４ａが設けられている。接触子４４ｂの第３の片持ち梁部４４ｂ１の先端部および第４の片持ち梁部４４ｂ２の先端部には、それぞれ、貫通孔４０３ｂおよび４０４ｂが設けられている。一対の貫通孔４０３ａおよび４０３ｂには、可動接点４６ａが挿入されている。一対の貫通孔４０４ａおよび４０４ｂには、可動接点４６ｂが挿入されている。それにより、可動ばね４４ａと接触子４４ｂとは、互いに接触しながら、一体構造部を形成している。
【００６４】
図１１に示すように、可動端子部４７と可動端子部４８との間には、ボディ１０の絶縁壁部１３が挿入されている。第１の合成片持ち梁部４３ａｂ１と第２の合成片持ち梁部４３ａｂ２との間には、絶縁壁部１１が挿入されている。第１の合成片持ち梁部４４ａｂ１と第２の合成片持ち梁部４４ａｂ２との間には、絶縁壁部１２が挿入されている。絶縁壁部１１、１２、および１３は、互いにボディ１０の底板部９に垂直であってかつ互いに平行に延びている。
【００６５】
図１２〜図１５を用いて、可動端子部４７（４８）の動作を説明する。
【００６６】
接極子４１が電磁石部２０から電磁力を受けると、可動部４０は、前述のように、継鉄２７の凹部の底面２７ｃを支点として回動することにより、その姿勢を変更する。このとき、可動接点４５ａ，４５ｂ，４６ａ，４６ｂは、図１２および図１３において矢印で示す方向に、それぞれ、固定接点５２ｂ，５１ｂ，５４ｂ，５３ｂに接触するように移動する。その結果、可動端子部４７（４８）は、図１２に示すように、ホルダー４２を片持ち梁の固定端としてたわむ。
【００６７】
このとき、第１の合成片持ち梁部４３ａｂ１（４４ａｂ１）および第２の合成片持ち梁部４３ａｂ２（４４ａｂ２）は、いずれも、互いに独立した片持ち梁であるため、図１４に示すように、それぞれが独立して弾性変形をすることができる。そのため、可動接点４５ａ，４５ｂ，４６ａ，４６ｂは、それぞれ、図１５に示される固定接点５２ｂ，５１ｂ，５４ｂ，５３ｂに接触することができる。
【００６８】
つまり、可動接点４５ａ，４５ｂ，４６ａ，４６ｂのいずれかが、固定接点５２ｂ，５１ｂ，５４ｂ，５３ｂのうちの対応する接点に接触できないという不具合の発生が防止されている。可動接点４５ａ，４５ｂ，４６ａ，４６ｂおよび固定接点５２ｂ，５１ｂ，５４ｂ，５３ｂは、それぞれ、可動端子部４７（４８）および固定端子部５１２（５３４）の導電性と同一かまたはそれよりも高い導電性を有する金属により形成されている。
【００６９】
なお、本実施の形態においては、図９においては、ばね性能が高い部材と導電性が高い部材とを組合せる観点から、可動ばね４３ａ（４４ａ）と接触子４３ｂ（４４ｂ）との二層構造の可動端子部４７（４８）が用いられている。しかしながら、ばね性能および導電性の双方が高い部材が用いられるのであれば、たとえば、可動ばね４３ａ（４４ａ）のみがホルダー４２に固定されている可動端子部が電磁リレー１００に用いられてもよい。これによっても、複数の可動接点は、それぞれ、独立した片持ち梁部の先端部に取り付けられ得る。
【００７０】
上の構成によれば、可動端子部４７（４８）が延びる方向の軸まわりに可動端子部にねじれ力が生じる場合に利点がある。その利点は、前述の場合において、２つの可動接点４５ａ，４５ｂ（４６ａ，４６ｂ）のうちいずれか一方がそれに対応する固定接点５２ｂ，５１ｂ（５４ｂ，５３ｂ）に接触すべきときに接触しないという不具合の発生を防止することができるというものである。
【００７１】
次に、図１５〜図１９を参照して、本実施の形態の電磁リレー１００の固定端子部５１２（５３４）を説明する。
【００７２】
図１５〜図１７に示すように、本実施の形態の電磁リレー１００は、２対の固定端子部５１２および５３４を備えている。２対の固定端子部５１２および５３４は、いずれも、上記した可動端子部４７（４８）と同程度の導電性を有する金属で形成されている。本実施の形態においては、複数対の固定端子部の一例として２対の固定端子部を有する電磁リレー１００が示されている。しかしながら、本発明の電磁リレーは、３対以上の固定端子部を備えた電磁リレーであってもよい。つまり、本発明の電磁リレーは、複数対の固定端子部を備えた電磁リレーであってもよい。
【００７３】
図１６および図１７に示すように、固定端子部５１２は、外部入力／出力端子部５１と、外部入力／出力端子部５１に電気的に接続され得る外部出力／入力端子部５２とを有している。外部入力／出力端子部５１と外部出力／入力端子部５２とは、一対の端子部を構成するように、互いに分離独立した状態で配置されている。可動端子部４７は、互いに対をなす外部入力／出力端子部５１と外部出力／入力端子部５２とを電気的に接続させることができる。
【００７４】
図１６および図１７に示すように、固定端子部５３４は、外部入力／出力端子部５３と、外部入力／出力端子部５３に電気的に接続され得る外部出力／入力端子部５４とを有している。可動端子部４８は、互いに対をなす外部入力／出力端子部５３と外部出力／入力端子部５４とを電気的に接続させることができる。外部入力／出力端子部５３と外部出力／入力端子部５４とは、一対の端子部を構成するように、互いに分離独立した状態で配置されている。
【００７５】
なお、本明細書においては、外部入力／出力端子と、外部出力／入力端子部とは、可動端子部によって電気的に接続される一対の端子部（固定端子部）を意味する。ある場合には、一対の端子部のうち、一方が外部入力端子部となり、他方が外部出力端子部となる。また、他の場合には、一対の端子部のうち、前述の一方が外部出力端子となり、他方が外部入力端子部となる。交流および直流のいずれの電気回路に対して電磁リレー１００が接続されても、同一の外部端子部が、外部入力端子部として機能することもあれば、外部出力端子部として機能することもある。
【００７６】
図１５〜図１９に示すように、本実施の形態においては、固定端子部５１２において、外部入力／出力端子部５１と外部出力／入力端子部５２とが、電気的に接続され得る一対の端子部を構成している。また、固定端子部５３４において、外部入力／出力端子部５３と外部出力／入力端子部５４とが、電気的に接続され得る一対の端子部を構成している。
【００７７】
図１５〜図１７に示すように、外部入力／出力端子部５１は、直線に沿って延びる水平部５１ｄと水平部５１ｄの一方の端部の一方の側面（一組の固定端子部５０の一方の外側面）から下方へ向かって延びる先端部５１ａとを備えている。また、外部入力／出力端子部５１は、水平部５１ｄの他方の端部の他方の側面（一組の固定端子部５０の一方の内側面）から上方へ向かって延び、その表面に固定接点５１ｂが設けられた立上り部５１ｃを備えている。
【００７８】
図１５〜図１７に示すように、外部出力／入力端子部５２は、水平部５２ｄと、水平部５２ｄの一方の側面（一組の固定端子部５０の他方の外側面）から下方へ向かって延びる先端部５２ａとを備えている。また、外部出力／入力端子部５２は、水平部５２ｄの他方の側面（一組の固定端子部５０の他方の内側面）から上方へ向かって延び、その表面に固定接点５２ｂが設けられた立上り部５２ｃを備えている。
【００７９】
水平部５１ｄは、固定接点５１ｂ，５４ｂ，５３ｂが並ぶ方向に沿って延びているが、水平部５２ｄは、固定接点５２ｂに対応する位置においてのみ設けられている。
【００８０】
図１６および図１７から分かるように、立上り部５１ｃと立上り部５２ｃとは、仮想の直線ＩＩに沿って延びている。水平部５１ｄと水平部５２ｄとは、仮想の直線ＩＶに沿って延びている。先端部５１ａと先端部５２ａとは、仮想の直線ＶＩに沿って延びている。これらの仮想の直線ＩＩ、ＩＶ、およびＶＩは、ぞれぞれ、固定接点５２ｂ，５１ｂ，５４ｂ，５２ｂが並ぶ方向を規定する図１８に示す仮想の直線Ｉに平行または実質的に平行である。また、仮想の直線ＩＩは、後述される仮想の直線ＩＩＩと同一直線上に存在する。
【００８１】
図１５〜図１７に示すように、外部入力／出力端子部５３は、水平部５３ｄと水平部５３ｄの一方の側面から下方へ向かって延びる先端部５３ａとを備えている。また、外部入力／出力端子部５３は、水平部５３ｄの他方の側面から上方へ向かって延び、その表面に固定接点５３ｂが設けられた立上り部５３ｃを備えている。
【００８２】
図１５〜図１７に示すように、外部出力／入力端子部５４は、直線状に延びる水平部５４ｄと水平部５４ｄの一方の端部の一方の側面から下方へ向かって延びる先端部５４ａとを備えている。また、外部出力／入力端子部５４は、水平部５４ｄの他方の端部の他方の側面から上方へ向かって延び、その表面に固定接点５４ｂが設けられた立上り部５４ｃを備えている。
【００８３】
水平部５４ｄは、固定接点５４ｂ，５１ｂ，５２ｂが並ぶ方向に沿って延びているが、水平部５３ｄは、固定接点５３ｂに対応する位置においてのみ設けられている。
【００８４】
図１６および図１７から分かるように、立上り部５３ｃと立上り部５４ｃとは、仮想の直線ＩＩＩに沿って延びている。水平部５３ｄと水平部５４ｄとは、仮想の直線Ｖに沿って延びている。先端部５３ａと先端部５４ａとは、仮想の直線ＶＩＩに沿って延びている。これらの仮想の直線ＩＩＩ、Ｖ、およびＶＩＩは、ぞれぞれ、固定接点５２ｂ，５１ｂ，５４ｂ，５３ｂが並ぶ方向を規定する図１８に示す仮想の直線Ｉに平行または実質的に平行である。また、仮想の直線ＩＩＩは、前述の仮想の直線ＩＩと同一直線上に存在する。
【００８５】
なお、水平部５１ｄ，５２ｄの一方の側面および水平部５３ｄ，５４ｄの他方の側面が、それぞれ、一組の固定端子部５０の一方の外側面および一組の固定端子部５０の他方の外側面を構成している。したがって、固定端子部５１２および５３４を前述の仮想の直線ＩＩおよび仮想の直線ＩＩＩを含む直線に沿って見た場合に、中央の位置に、立上り部５１ｃ、５２ｃ、５３ｃ、５４ｃが配置されている。その場合には、中央の位置の一方側の位置には、対になる先端部５１ａ、５２ａが配置されている。また、中央の位置の他方側の位置には、対になる先端部５３ａ、５４ａが配置されている。
【００８６】
また、図１５〜図１７から分かるように、立上り部５１ｃ、５２ｃ、５３ｃ、５４ｃは、次のように構成されている。
【００８７】
立上り部５２ｃおよび５３ｃは、第２および第３の仮想の直線ＩＩおよびＩＩＩに沿う方向において、相対的に外側の位置に配置されている。立上り部５１ｃおよび５４ｃは、第２および第３の仮想の直線ＩＩおよびＩＩＩに沿う方向において、相対的に内側の位置に配置されている。つまり、同一直線上において一列に並ぶ立上り部５１ｃおよび５４ｃは、同一直線上において一例に並ぶ立上り部５２ｃと立上り部５３ｃとの間に配置されている。立上り部５３ｃ、立上り部５４ｃ、立上り部５１ｃ、および立上り部５２ｃは、この順番で一列に並べられている。
【００８８】
外部入力／出力端子部５１において、立上り部５１ｃと先端部５１ａとは、平面視において、固定接点５３ｂ、５４ｂ、５１、および５２ｂが並ぶ方向において所定の距離を置いて配置されている。立上り部５１ｃと先端部５１ａとは、平面視において、固定接点５３ｂ、５４ｂ、５１、および５２ｂが並ぶ方向に垂直な方向において、特定の距離を置いて配置されている。また、外部出力／入力端子部５４において、立上り部５４ｃと先端部５４ａとは、平面視において、固定接点５３ｂ、５４ｂ、５１ｂ、および５２ｂが並ぶ方向において前述の所定の距離と同一の距離を置いて配置されている。立上り部５４ｃと先端部５４ａとは、平面視において、固定接点５３ｂ、５４ｂ、５１ｂ、および５２ｂが並ぶ方向に垂直な方向において、前述の特定の距離と同一の特定の距離を置いて配置されている。ただし、前述された所定の距離同士が同一であること、および、前述された特定の距離同士が同一であることは、本発明の必須の構成要件ではなく、本発明の電磁リレーは、それらの距離同士が異なるものも含んでいる。
【００８９】
一方、外部出力／入力端子部５２においては、立上り部５２ｃと先端部５２ａとは、平面視において、固定接点５３ｂ、５４ｂ、５１ｂ、および５２ｂが並ぶ方向において距離を置おくことなく配置されている。つまり、立上り部５２ｃと先端部５２ａとは、平面視において、固定接点５３ｂ、５４ｂ、５１ｂ、５２ｂが並ぶ方向に垂直な方向において並ぶように配置されている。また、外部入力／出力端子部５３においては、立上り部５３ｃと先端部５３ａとは、平面視において、固定接点５３ｂ、５４ｂ、５１ｂ、および５２ｂが並ぶ方向において距離をおくことなく配置されている。つまり、立上り部５３ｃと先端部５３ａとは、平面視において、固定接点５３ｂ、５４ｂ、５１ｂ、５２ｂが並ぶ方向に垂直な方向において並ぶように配置されている。
【００９０】
外部入力／出力端子部５１の先端部５１ａは、仮想線ＶＩ上における、立上り部５１ｃおよび５４ｃに対向する位置を基準位置として、仮想線ＶＩ上において一方の外側の位置に配置されている。外部出力／入力端子部５２の先端部５２ａは、外部入力／出力端子部５１の先端部５１ａと対をなす。外部出力／入力端子部５２の先端部５２ａは、仮想線ＶＩ上における、立上り部５１ｃおよび５４ｃに対向する位置を基準位置として、仮想線ＶＩ上において前述の一方の外側の位置とは逆側の他方の外側の位置に配置されている。また、外部入力／出力端子部５３の先端部５３ａは、仮想線ＶＩＩ上における、立上り部５１ｃおよび５４ｃに対向する位置を基準位置として、仮想線ＶＩＩ上において一方の外側の位置に配置されている。外部出力／入力端子部５４の先端部５４ａは、外部入力／出力端子部５３の先端部５３ａと対をなす。外部出力／入力端子部５４の先端部５４ａは、仮想線ＶＩＩ上における、立上り部５１ｃおよび５４ｃに対向する位置を基準位置として、仮想線ＶＩＩ上において前述の一方の外側の位置とは逆側の他方の外側の位置に配置されている。
【００９１】
図１６および図１７から分かるように、固定端子部５１２および５３４は、平面視および底面視のそれぞれにおいて、点対称の形状を有している。外部入力／出力端子部５１と外部出力／入力端子部５４とは、点対称に配置されており、同一の形状を有している。また、外部出力／入力端子部５２と外部入力／出力端子部５３とは、点対称に配置されており、同一の形状を有している。したがって、４箇所の端子部を２種類の金型で製造することができる。
【００９２】
図１８から分かるように、電磁リレー１００がＯＦＦの状態では、可動接点４５ａ，４５ｂ，４６ａ，４６ｂは、それぞれ、固定接点５２ｂ，５１ｂ，５４ｂ，５３ｂに対向するように配置されている。なお、図１８には、実施の形態２の電磁リレー１００の補助固定端子部６２４３の補助外部入力／出力端子部６２および補助出力／入力端子部６３の位置が仮想的に描かれている。本実施の形態１においては、補助外部入力／出力端子部６２および補助外部出力／入力端子部６３が設けられていないものである。
【００９３】
図１９〜図２２に示すように、外部入力／出力端子部５１および５３の先端部５１ａおよび５３ａならびに外部出力／入力端子部５２および５４の先端部５２ａおよび先端部５４ａは、ボディ１０の底板部９の底面、すなわち下面から突出している。また、図１９〜図２２に示すように、コイル端子部２５ａ１，２５ａ２も、ボディ１０の底板部９を貫通し、ボディ１０の下面から突出している。具体的には、図１９に示すように、本実施の形態の電磁リレー１００は、先端部５１ａ，５２ａ，５３ａ，５４ａがボディ１０の底面から底面に対して垂直な方向（下方）に向かって突出している。
【００９４】
図２３に示すように、前述のような電磁リレー１００が搭載されるプリント配線基板１０００には、挿入孔２５０ａ１，２５０ａ２が設けられている。挿入孔２５０ａ１，２５０ａ２は、それぞれ、プリント配線基板１０００のコイル端子部２５ａ１，２５ａ２に対応する位置に設けられている。したがって、電磁リレー１００がプリント配線基板１０００上に搭載される場合には、挿入孔２５０ａ１，２５０ａ２には、それぞれ、コイル端子部２５ａ１，２５ａ２が挿入される。また、プリント配線基板１０００には、挿入孔５１０ａ，５２０ａ，５３０ａ，５４０ａが設けられている。挿入孔５１０ａ，５２０ａ，５３０ａ，５４０ａは、それぞれ、プリント配線基板１０００の固定端子部５１，５２，５３，５４の先端部５１ａ，５２ａ，５３ａ，５４ａに対応する位置に設けられている。したがって、挿入孔５１０ａ，５２０ａ，５３０ａ，５４０ａには、それぞれ、先端部５１ａ，５２ａ，５３ａ，５４ａが挿入される。
【００９５】
本実施の形態の電磁リレー１００は、固定端子部５１２（５３４）が図１５〜図２４に示す構造を有している。そのため、次に述べるような態様で先端部５１ａ，５２ａ，５３a，５４ａを配置することがきる。その結果、その後に述べられる利点を有している。
【００９６】
図１６および図１７に示すように、先端部５１ａと先端部５２ａとは、仮想の直線ＶＩ上に配置され、ボディ１０の矩形の底面の輪郭を構成する一対の対向する辺のそれぞれに平行に配置されている。また、図１６および図１７に示すように、先端部５３ａと先端部５４ａとは、直前で述べた仮想の直線ＶＩに平行な仮想の直線ＶＩＩ上に配置されている。また、先端部５３ａと先端部５４ａとは、ボディ１０の矩形の底面の輪郭を構成する一対の対向する辺のそれぞれに平行に配置されている。
【００９７】
このように、図１６および図１７に示すように、対になる外部入力／出力端子部５１，５３の先端部５１ａ、５３ａと外部出力／入力端子部５２，５４の先端部５２ａ、５４ａとが、平面視において、仮想の直線（第２、第３の仮想の直線ＩＩ、ＩＩＩ）と実質的に平行な方向に延びる直線（第６の仮想の直線ＶＩ、第７の仮想の直線ＶＩＩ）に沿って一列に並ぶように配置されている。対になる先端部５１ａ、５２ａが配置される直線ＶＩと、平面視において、対になる先端部５３ａ、５４ａが配置される直線ＶＩＩは、仮想の直線ＩＩ、ＩＩＩと直交する方向にずれている。
【００９８】
図２４に示すように、外部入力／出力端子部５１の先端部５１ａと外部出力／入力端子部５２の先端部５２ａとが、互いに電気的に接続され得る一対の外部端子を構成している。また、外部入力／出力端子部５３の先端部５３ａと外部出力／入力端子部５４の先端部５４ａとが、互いに電気的に接続され得る一対の外部端子を構成している。それぞれの外部端子は、カバー１内に全体が収容される（カバー１の外部に突出していない）可動端子部４７，４８によって、互いに電気的に接続され得るようになっている。
【００９９】
以上の先端部５１ａ，５２ａ，５３ａ，５４ａの配置によれば、図２４に示すように、入力／出力配線５１０ｂ，５３０ｂおよび出力／入力配線５２０ｂ，５４０ｂをプリント配線基板１０００に設けることができる。図２４においては、プリント配線基板１０００上では、入力／出力配線５１０ｂと出力／入力配線５２０ｂとは、仮想の直線ＶＩＩＩに沿って延びるように配置されている。また、入力／出力配線５３０ｂと出力／入力配線５４０ｂとは、直前で述べた仮想の直線に平行な仮想の直線ＩＸに沿って延びるように配置されている。一対の入力／出力配線５１０ｂおよび入力／出力配線５３０ｂと一対の出力／入力配線５２０ｂおよび出力／入力配線５４０ｂとは、互いに平行に延びるように配置されている。つまり、図２４において、仮想の直線ＶＩＩＩと仮想の直線ＩＸとは互いに平行または実質的に平行に配置されている。つまり、本実施の形態の電磁リレー１００によれば、図２４に示すように、プリント配線基板１０００の短辺方向に沿って複数の入力／出力配線（出力／入力配線）を互いに平行に配置することが可能になる。
【０１００】
上記のようなプリント配線基板１０００上の配線の配置によれば、プリント配線基板１０００上の他の配線も含めたすべての配線を整然と配置することが可能になる。たとえば、図２４において、コイル端子部２５ａ１，２５ａ２のそれぞれに接続される一対の配線を、一対の入力／出力配線５１０ｂ（５３０ｂ）および出力／入力配線５２０ｂ（５４０ｂ）のそれぞれに平行に配置することが可能になる。この場合、電磁リレー１００の近傍の配線はすべて平行に配置されるため、プリント配線基板１０００上での極めて整然とした入力／出力配線および出力／入力配線の配置が実現される。その結果、配線に必要なスペースを小さくすることが可能となるため、配線パターンの省スペース化を図る（プリント配線基板１０００の表面に占める配線パターンの割合を減少させる）ことができるようになる。
【０１０１】
上記の構成に加えて、先端部５１ａと先端部５２ａとは、図２４に示されるように、電磁リレー１００のボディ１０の実質的に矩形の底面の一対の対向する辺のそれぞれの近傍に設けられている。また、先端部５３ａと先端部５４ａとは、電磁リレー１００のボディ１０の実質的に矩形の底面の一対の対向する辺のそれぞれの近傍に設けられている。したがって、電磁リレー１００の下敷きになるプリント配線基板１０００上の入力／出力配線および出力／入力配線の長さが短い。そのため、入力／出力配線および出力／入力配線の断線のおそれが低減されている。
【０１０２】
図２４および図２５に示される比較例の電磁リレーおよびそのプリント配線基板上での配線パターンを検討する。この比較例のボディ１０の底面から突出する固定端子部の４つの先端部は、次に述べるように形成されているものと考えられる。その４つの先端部５２ａ，５１ａ５４ａ，５３ａは、それぞれ、図１８に示される対応する固定接点５２ｂ，５１ｂ，５４ｂ，５３ｂに近い側のボディ１０の底面を構成する辺の近傍の位置から、ボディ１０の底板部９を貫通し、ボディ１０から突出している。
【０１０３】
図２５および図２６に示された比較例の４つの先端部５２ａ，５１ａ５４ａ，５３ａを有する電磁リレーがプリント配線基板１０００上に搭載された場合の配線を検討する。この場合、一対の入力／出力配線５１０ｂ（５３０ｂ）および出力／入力配線５２０ｂ（５４０ｂ）は、図２５または図２６に示すように、プリント配線基板１０００の長辺方向に延びるように配置されると考えられる。このような一対の入力／出力配線５１０ｂ（５３０ｂ）および出力／入力配線５２０ｂ（５４０ｂ）の配置が、図２４に示される入力／出力配線５１０ｂ，５３０ｂおよび出力／入力配線５２０ｂ（５４０ｂ）の配置に比較して、整然としていないことは明らかである。
【０１０４】
以上から、上記の先端部５１ａ，５２ａ５３ａ，５４ａの配置に利点があることが理解される。
【０１０５】
次に、図１８、図２４、図２７および図２８を参照して、本実施の形態の電磁リレー１００の動作を説明する。
【０１０６】
本実施の形態の電磁リレー１００は、一対のコイル端子部２５ａ１，２５ａ２に交流電流が流されると、電磁石部２０の巻き線２５に交流電流が流れる。その結果、電磁リレー１００は、図２７に示すＯＦＦ状態から図２８に示すＯＮ状態に変化する。
【０１０７】
ＯＦＦ状態では、図１８に示すように、可動端子部４７および４８の可動接点４５ａ，４５ｂ，４６ａ，４６ｂは、それぞれ、固定端子部５１２および５３４の固定接点５２ｂ，５１ｂ，５４ｂ，５３ｂに接触していない。この場合、図２４から分かるように、固定端子部５１２の先端部５１ａと先端部５２ａとの間で電流は流れず、また、固定端子部５３４の先端部５３ａと先端部５４ａとの間で電流が流れない。一方、ＯＮ状態では、可動端子部４７および４８の可動接点４５ａ，４５ｂ，４６ａ，４６ｂは、それぞれ、固定端子部５１２および５３４の固定接点５２ｂ，５１ｂ，５４ｂ，５３ｂに接触する。これによれば、図２４から分かるように、固定端子部５１２の先端部５１ａと先端部５２ａとの間で電流が流れ、また、固定端子部５３４の先端部５３ａと先端部５４ａとの間で電流が流れる。
【０１０８】
（Ｉ）  上記した実施の形態１の第１の局面の電磁リレー１００の構成および効果をまとめると次のようになる。
【０１０９】
（１）  電磁リレー１００は、次の構成（ｉ）〜（xi）を備えている。
【０１１０】
（ｉ）  外部入力／出力端子部５１と、外部入力／出力端子部５１に電気的に接続され得る外部出力／入力端子部５２と、を有する固定端子部５１２
（ii）  外部入力／出力端子部５１と外部出力／入力端子部５２とを電気的に接続させ得る可動端子部４７
（iii）  他の外部入力／出力端子部５３と、他の外部入力／出力端子部５３に電気的に接続され得る他の外部出力／入力端子部５４と、を有する他の固定端子部５３４
（iv）  他の外部入力／出力端子部５３と他の外部出力／入力端子部５４とを電気的に接続させ得る他の可動端子部４８
（ｖ）  可動端子部４７が外部入力／出力端子部５１および外部出力／入力端子部５２のそれぞれに電気的に接続されるか否かを切り替え、かつ、他の可動端子部４８が他の外部入力／出力端子部５３および他の外部出力／入力端子部５４のそれぞれに電気的に接続されるか否かを切り替えるように、可動端子部４７および他の可動端子部４８のそれぞれを移動させることが可能な接極子４１
（vi）  可動端子部４７および他の可動端子部４８を移動させるように接極子４１を駆動する電磁力を生じさせる電磁石部２０
（vii）  接極子４１および電磁石部２０を直接的または間接的に支持する底板部９を有し、外部入力／出力端子部５１の先端部５１ａ、外部出力／入力端子部５２の先端部５２ａ、他の外部入力／出力端子部５３の先端部５３ａ、および他の外部出力／入力端子部５４の先端部５４ａが外部へ突出するボディ１０
（viii）  可動端子部４７の可動接点４５ａ，４５ｂおよび他の可動端子部４８の可動接点４６ａ，４６ｂは、平面視において、第１の仮想の直線Ｉ（図１８参照）に沿って一列に並ぶように設けられ、かつ、第１の仮想の直線Ｉを横切る方向に移動可能であること
（ix）  固定端子部５１２の一方の固定接点５１ｂが設けられた立上り部５１ｃおよび固定端子部５１２の他方の固定接点５２ｂが設けられた立上り部５２ｃは、それぞれ、平面視において、第１の仮想の直線Ｉ（図１８参照）に平行な方向に延びる第２の仮想の直線ＩＩ（図１６、図１７、図１８参照）に沿って延びていること
（ix）  他の固定端子部５３４の一方の固定接点５４ｂが設けられた立上り部５４ｃおよび他の固定端子部５３４の他方の固定接点５３ｂが設けられた立上り部５３ｃは、それぞれ、平面視において、第１の仮想の直線Ｉ（図１８参照）に平行な方向に延びる第３の仮想の直線ＩＩＩ（図１６、図１７、図１８参照）に沿って延びていること
なお、上記の本実施の形態においては、第２の仮想の直線ＩＩと第３の仮想の直線ＩＩＩとは、同一直線上に存在する。
【０１１１】
（ｘ）  固定端子部５１２の外部入力／出力端子部５１の水平部５１ｄおよび固定端子部５１２の外部出力／入力端子部５２の水平部５２ｄは、それぞれ、平面視において、第１の仮想の直線Ｉ（図１８参照）に平行な方向に延びる第４の仮想の直線ＩＶ（図１６、図１７参照）に沿って、かつ、立上り部５１ｃおよび立上り部５２ｃからボディ１０の底面に平行に延びていること
（xi）  他の固定端子部５３４の外部入力／出力端子部５３の水平部５３ｄおよび他の固定端子部５３４外部出力／入力端子部５４の水平部５４ｄは、それぞれ、平面視において、第１の仮想の直線Ｉ（図１８参照）に平行な方向に延びる第５の仮想の直線Ｖ（図１６、図１７参照）に沿って、かつ、立上り部５３ｃおよび立上り部５４ｃからボディ１０の底面に沿って延びていること
（xii）  固定端子部５１２の先端部５１ａおよび先端部５２ａは、それぞれ、平面視において、第１の仮想の直線Ｉ（図１８参照）と平行な方向に延びる第６の仮想ＶＩ（図１６、図１７参照）の直線上において、互いに所定の距離を置いて配置され、外部入力／出力端子部５１の水平部５１ｄおよび外部出力／入力端子部５２の水平部５２ｄから下方に向かって延びていること
（xiii）  他の固定端子部５３４の先端部５３ａおよび先端部５４ａは、それぞれ、平面視において、第１の仮想の直線Ｉ（図１８参照）と平行な方向に延びる第７の仮想の直線ＶＩＩ（図１６、図１７参照）上において、互いに特定（または所定）の距離を置いて配置され、他の外部入力／出力端子部５３の水平部５３ｄおよび他の外部出力／入力端子部５４の水平部５４ｄから下方に向かって延びている。
【０１１２】
上記のような構成によれば、後述されるように、プリント配線基板上の配線を整然と配置することができることができる。
【０１１３】
なお、外部入力／出力端子部５１の先端部５１ａ、外部出力／入力端子部５２の先端部５２ａ、他の外部入力／出力端子部５３の先端部５３ａ、および他の外部出力／入力端子部５４の先端部５４ａは、それぞれ、仮想の長方形の４つの角部に配置されることが望ましい。これによれば、複数の先端部５１ａ，５２ａ，５３ａ，５４ａが整然と配置される。
【０１１４】
また、ボディ１０の底面（下面）が実質的に長方形の輪郭を有している場合には、先端部５１ａと先端部５２ａとが、それぞれ、ボディ１０の底面の長方形を構成する対向する一方の辺および他方の辺の近傍に設けられていることが望ましい。また、先端部５３ａおよび５４ａも、それぞれ、ボディ１０の実質的に長方形を構成する対向する一方の辺および他方の辺の近傍に設けられることが望ましい。これによれば、電磁リレー１００の下敷きになる配線の長さを短くすることができるため、入力／出力配線および出力／入力配線の断線を極力抑制することができる。
【０１１５】
なお、実質的に長方形とは、厳密な意味での長方形の角部が多少丸まっているもの等、一辺の大部分を構成する線分を延長することにより、全体として長方形と認識できるものを含む意味である。
【０１１６】
（２）  固定端子部５１２ならびに他の固定端子部５３４は、平面視において、点対称の形状を有しており、平面に垂直な方向において同一の厚さを有していることが望ましい。
【０１１７】
上記の構成によれば、同一金型を用いて固定端子部５１２および他の固定端子部５３４を製造することができる。
【０１１８】
なお、固定端子部および他の固定端子部は、その設計時において点対称の形状および同一の厚さに形成されることが意図されていればよく、製造上必然的に生じる形状および厚さの誤差により、厳密な意味での点対称の形状および同一の厚さに形成されていなくてもよい。
【０１１９】
（３）  本実施の形態の接続構造体は、電磁リレー１００が搭載されるプリント配線基板１０００を備えている。プリント配線基板１０００上には、次の配線（ｉ）〜（ｉｖ）が設けられている。
【０１２０】
（ｉ）  外部入力／出力端子部５１に電気的に接続された入力／出力配線５１０ｂ
（ii）  外部出力／入力端子部５２が電気的に接続された出力／入力配線５２０ｂ
（iii）他の外部入力／出力端子部５３が電気的に接続された他の入力／出力配線５３０ｂ
（iv）  他の外部出力／入力端子部５４が電気的に接続された他の出力／入力配線５４０ｂ
上記を前提として、入力／出力配線５１０ｂおよび出力／入力配線５２０ｂが、それぞれ、第１の仮想の直線Ｉ（図１８参照）に平行な第８の仮想の直線ＶＩＩＩ（図２４参照）に沿って延びている。他の入力／出力配線５３０ｂおよび他の出力／入力配線５４０ｂが、それぞれ、第１の仮想の直線Ｉ（図１８参照）に平行な第９の仮想の直線ＩＸ（図２４参照）に沿って延びている。
【０１２１】
上記の構成によれば、プリント配線基板１０００上の入力／出力配線５１０ｂ，５３０ｂおよび出力／入力配線５２０ｂ，５４０ｂを整然と配置することができる。
【０１２２】
（II）  上記した実施の形態１の第２の局面の電磁リレー１００の構成および効果をまとめると次のようになる。
【０１２３】
（１）  電磁リレー１００は、次の構成（ｉ）〜（viii）を備えている。
【０１２４】
（ｉ）  外部入力／出力端子部５１（５３）と、外部端子部に電気的に接続され得る外部出力／入力端子部５２（５４）と、を有する固定端子部５１２（５３４）
（ii）  外部入力／出力端子部５１（５３）と外部出力／入力端子部５２（５４）とを電気的に接続させ得る可動端子部４７（４８）
（iii）  可動端子部４７（４８）が、外部入力／出力端子部５１（５３）および外部出力／入力端子部５２（５４）のそれぞれに電気的に接続されるか否かを切り替えるように、可動端子部４７（４８）を移動させる接極子４１
（iv）  可動端子部４７（４８）を移動させるように接極子４１を駆動する電磁力を生じさせる電磁石部２０
（ｖ）  接極子４１に可動端子部４７（４８）を固定するホルダー４２
（vi）  可動端子部４７（４８）における、接極子４１によって移動させられることにより、ホルダー４２を固定端としてたわみながら、外部入力／出力端子部５１（５３）に電気的に接続され得る第１の片持ち梁部４３ａ１（４４ａ１）
（vii）  可動端子部４７（４８）における、第１の片持ち梁部４３ａ１（４４ａ１）から独立して弾性変形をすることが可能であり、かつ、接極子４１によって移動させられることにより、ホルダー４２を固体端としてたわみながら、外部出力／入力端子に電気的に接続され得る第２の片持ち梁部４３ａ２（４４ａ２）
（viii）  可動端子部４７（４８）における、第１の片持ち梁部４３ａ１（４４ａ１）の固定端側の端部と第２の片持ち梁部４３ａ２（４４ａ２）の固定端側の端部とを物理的に接続する部分であって、かつ、第１の片持ち梁部４３ａ１（４４ａ１）と第２の片持ち梁部４３ａ２（４４ａ２）とを電気的に接続する第１−第２梁接続部４３ａ３（４３ｂ３）
上記の構成によれば、第１の片持ち梁部４３ａ１（４４ａ１）および第２の片持ち梁部４３ａ２（４４ａ２）が、それぞれ、平面視において可動端子部４７（４８）にねじれが生じたときに、独立して弾性変形する。そのため、可動端子部４７（４８）の平面視におけるねじれに起因した可動端子部４７（４８）と固定端子部５１２（５３４）との接触不良を抑制することができる。具体的には、電磁リレー１００がＯＮ状態であるにもかかわらず、可動接点４５ａ，４５ｂ，４６ａ，４６ｂのそれぞれが、固定接点５２ｂ，５１ｂ，５４ｂ，５３ｂのうちの対応する接点に接触できないという不具合の発生が防止される。
【０１２５】
（２）  電磁リレー１００は、第１の片持ち梁部４３ａ１（４４ａ１）と第２の片持ち梁部４３ａ２（４４ａ２）との間に設けられた絶縁壁部１１（１２）を備えていることが望ましい。
【０１２６】
上記の構成によれば、第１の片持ち梁部４３ａ１（４４ａ１）と第２の片持ち梁部４３ａ２（４４ａ２）との間での電磁的な相互干渉を抑制することができる。したがって、第１の片持ち梁部４３ａ１（４４ａ１）と第２の片持ち梁部４３ａ２（４４ａ２）とをより接近させることができる。その結果、第１の片持ち梁部４３ａ１（４４ａ１）および第２の片持ち梁部４３ａ２（４４ａ２）の全体の占有幅を大きくすることなく、第１の片持ち梁部４３ａ１（４４ａ１）および第２の片持ち梁部４３ａ２（４４ａ２）のそれぞれの幅を大きくすることができる。
【０１２７】
（III）  上記した実施の形態１の第３の局面の電磁リレー１００の構成および効果をまとめると次のようになる。
【０１２８】
（１）  電磁リレー１００は、次の構成（ｉ）〜（ｘ）を備えている。
【０１２９】
（ｉ）  外部入力／出力端子部５１（５３）と、外部端子部に電気的に接続され得る外部出力／入力端子部５２（５４）と、を有する固定端子部５１２（５３４））
（ii）  外部入力／出力端子部５１（５３）と外部出力／入力端子部５２（５４）とを電気的に接続させ得る可動端子部４７（４８）
（iii）  可動端子部４７（４８）が、外部入力／出力端子部５１（５３）および外部出力／入力端子部５２（５４）のそれぞれに電気的に接続されるか否かを切り替えるように、可動端子部４７（４８）を移動させる接極子４１
（iv）  可動端子部４７（４８）を移動させるように接極子４１を駆動する電磁力を生じさせる電磁石部２０
（ｖ）  接極子４１に可動端子部４７（４８）を固定するホルダー４２
（vi）  可動端子部４７（４８）における、接極子４１によって移動させられることにより、ホルダー４２を固定端としてたわみ得る第１の片持ち梁部４３ａ１（４４ａ１）
（vii）  可動端子部４７（４８）における、第１の片持ち梁部４３ａ１（４４ａ１）から独立して弾性変形をすることが可能であり、かつ、接極子４１によって移動させられることにより、ホルダー４２を固定端としてたわみ得る第２の片持ち梁部４３ａ２（４４ａ２）
（viii）  可動端子部４７（４８）における、第１の片持ち梁部４３ａ１（４４ａ１）に接触し、第１の片持ち梁部４３ａ１（４４ａ１）に沿って延びる第３の片持ち梁部４３ｂ１（４４ｂ１）
（ix）  可動端子部４７（４８）における、第２の片持ち梁部４３ａ２（４４ａ２）に接触し、第２の片持ち梁部４３ａ２（４４ａ２）に沿って延びる第４の片持ち梁部４３ｂ２（４４ｂ２）
（ｘ）  第３の片持ち梁部４３ｂ１（４４ｂ１）の固定端側の端部と第４の片持ち梁部４３ｂ２（４４ｂ２）の固定端側の端部とを物理的に接続する部分であって、第３の片持ち梁部４３ｂ１（４４ｂ１）と第４の片持ち梁部４３ｂ２（４４ｂ２）とを電気的に接続する第３梁−第４梁接続部４３ｂ３（４４ｂ３）
上記の構成によれば、第１の片持ち梁部４３ａ１（４４ａ１）および第３の片持ち梁部４３ｂ１（４４ｂ１）からなる第１の合成片持ち梁部４３ａｂ１（４４ａｂ１）が形成される。また、第２の片持ち梁部４３ａ２（４４ａ２）および第４の片持ち梁部４３ｂ２（４４ｂ２）からなる第２の合成片持ち梁部４３ａｂ１（４４ａｂ２）が形成される。
【０１３０】
第１の合成片持ち梁部４３ｂ２（４４ｂ２）と第２の合成片持ち梁部４３ａｂ１（４４ａｂ２）とは、それぞれ、平面視において可動端子部４７（４８）にねじれが生じたときに、独立して弾性変形可能である。そのため、平面視における可動端子部４７（４８）のねじれに起因した可動端子部４７（４８）と固定端子部５１２（５３４）との接触不良を抑制することができる。
【０１３１】
（２）  また、本実施の形態の電磁リレー１００は、
第１の片持ち梁部４３ａ１（４４ａ１）および第２の片持ち梁部４３ａ２（４４ａ２）は、第３の片持ち梁部４３ｂ１（４４ｂ１）、第４の片持ち梁部４３ｂ２（４４ｂ２）、および第３梁−第４梁接続部４３ｂ３（４４ｂ３）に比較して、相対的に弾性係数が高いことが望ましい。
【０１３２】
これによれば、第１の合成片持ち梁部４３ｂ２（４４ｂ２）と第２の合成片持ち梁部４３ａｂ１（４４ａｂ２）は、ホルダー４２に対する姿勢を柔軟に変えることができる。
【０１３３】
（３）  第３の片持ち梁部４３ｂ１（４４ｂ１）、第４の片持ち梁部４３ｂ２（４４ｂ２）、および第３梁−第４梁接続部４３ｂ３（４４ｂ３）は、第１の片持ち梁部４３ａ２（４４ａ２）および第２の片持ち梁部４３ａ２（４４ａ２）に比較して、相対的に導電率が高いことが望ましい。
【０１３４】
上記の構成によれば、第１の合成片持ち梁部４３ｂ２（４４ｂ２）と第２の合成片持ち梁部４３ａｂ１（４４ａｂ２）全体の導電性を向上させることができる。
【０１３５】
（４）  上記の（２）および（３）を兼ね備える場合には、１つの部材で片持ち梁部を形成する場合に比較して、高い弾性係数および高い導電率の双方を兼ね備えた可動端子部４７（４８）を形成することができる。
【０１３６】
（５）  電磁リレー１００は、第１の片持ち梁部４３ａ１（４４ａ１）の固定端側の端部と第２の片持ち梁部４３ａ２（４４ａ２）の固定端側の端部とを物理的に接続する部分であって、第１の片持ち梁部４３ａ１（４４ａ１）と第２の片持ち梁部４３ａ２（４４ａ２）とを電気的に接続する第１梁−第２梁接続部４３ａ３（４４ａ３）を備えていることが望ましい。
【０１３７】
上記の構成によれば、第１の片持ち梁部４３ａ１（４４ａ１）、第２の片持ち梁部４３ａ２（４４ａ２）、および第１梁−第２梁接続部４３ａ３（４４ａ３）からなる第１の導電経路が存在する。また、第３の片持ち梁部４３ｂ１（４４ｂ１）および第４の片持ち梁部４３ｂ２（４４ｂ２）、および第３梁−第４梁接続部４３ｂ３（４４ｂ３）からなる第２の導電経路が存在する。つまり、第１の導電経路と第２の導電経路とが合体した合成導電経路が形成される。したがって、導電経路の断面積が大きくなるため、可動端子部４７（４８）の導電性を向上させることができる。
【０１３８】
（６）  電磁リレー１００は、第１の片持ち梁部４３ａ１（４４ａ１）および第３の片持ち梁部４３ｂ１（４４ｂ１）からなる第１の合成片持ち梁部４３ａｂ１（４４ａｂ１）を備えている。また、電磁リレー１００は、第２の片持ち梁部４３ａ２（４４ａ２）および第４の片持ち梁部４３ｂ２（４４ｂ２）からなる第２の合成片持ち梁部４３ａｂ２（４４ａｂ２）を備えている。第１の合成片持ち梁部４３ａｂ１（４４ａｂ１）と第２の合成片持ち梁部４３ａｂ２（４４ａｂ２）との間に絶縁壁部１１（１２）を備えていることが望ましい。
【０１３９】
上記の構成によれば、第１の合成片持ち梁部４３ａｂ１（４４ａｂ１）と第２の合成片持ち梁部４３ａｂ２（４４ａｂ２）との間での電磁的な相互干渉を抑制することができる。したがって、第１の合成片持ち梁部４３ａｂ１（４４ａｂ１）と第２の合成片持ち梁部４３ａｂ２（４４ａｂ２）とをより接近させることができる。その結果、第１の合成片持ち梁部４３ａｂ１（４４ａｂ１）および第２の合成片持ち梁部４３ａｂ２（４４ａｂ２）のそれぞれの幅を大きくすることができる。この場合、上記の構成によれば、第１の合成片持ち梁部４３ａｂ１（４４ａｂ１）および第２の合成片持ち梁部４３ａｂ２（４４ａｂ２）の全体の占有幅を大きくしなくてもよいという利点がある。
【０１４０】
（７）  電磁リレー１００は、第３の片持ち梁部４３ｂ１（４４ｂ１）に第１の可動接点４５ａ（４６ａ）が設けられていてもよい。第１の可動接点４５ａ（４６ａ）が固定端子部５１２（５３４）の外部出力／入力端子部５２（５４）に設けられた第１の固定接点５２ｂ（５４ｂ）に接触し得るように、第１の固定接点５２ｂ（５４ｂ）に対向していてもよい。第４の片持ち梁部４３ｂ２（４４ｂ２）に第２の可動接点４５ｂ（４６ｂ）が設けられていてもよい。第２の可動接点４５ｂ（４６ｂ）が固定端子部５１２（５３４）の外部入力／出力端子部５１（５３）に設けられた第２の固定接点５１ｂ（５３ｂ）に接触し得るように、第２の固定接点５１ｂ（５３ｂ）に対向していてもよい。
【０１４１】
上記の構成によれば、相対的に導電性が高い第３の片持ち梁部４３ｂ１（４４ｂ１）が、相対的に導電性が低い第１の片持ち梁部４３ａ１（４４ａ１）に比較して、第１の可動接点４５ａ（４６ａ）および第１の固定接点５２ｂ（５４ｂ）に近い位置に設けられている。そのため、前述とは逆の場合に比較して、第１の片持ち梁部４３ａ１（４４ａ１）および第３の片持ち梁部４３ｂ１（４４ｂ１）からなる第１の合成片持ち梁部４３ａｂ１（４４ａｂ１）における発熱量を小さくすることができる。
【０１４２】
また、相対的に導電性が高い第４の片持ち梁部４３ｂ２（４４ｂ２）が、相対的に導電性が低い第２の片持ち梁部４３ａ２（４４ａ２）に比較して、第２の可動接点４５ｂ（４６ｂ）および第２の固定接点５１ｂ（５３ｂ）に近い位置に設けられている。そのため、前述とは逆の場合に比較して、第２の片持ち梁部４３ａ２（４４ａ２）および第４の片持ち梁部４３ｂ２（４４ｂ２）からなる第２の合成片持ち梁部４３ａｂ２（４４ａｂ２）における発熱量を小さくすることができる。
【０１４３】
ただし、本発明においては、第１の片持ち梁部４３ａ１（４４ａ１）に第１の可動接点４５ａ（４６ａ）が設けられ、第２の片持ち梁部４３ａ２（４４ａ２）に第２の可動接点４５ｂ（４６ｂ）が設けられていてもよい。
【０１４４】
また、第１の片持ち梁部４３ａ１（４４ａ１）の幅と第３の片持ち梁部４３ｂ１（４４ｂ１）の幅と同一である。第２の片持ち梁部４３ａ２（４４ａ２）の幅と第４の片持ち梁部４３ｂ２（４４ｂ２）の幅と同一である。しかしながら、本発明は、それらの幅同士が同一である構造に限定されない。
【０１４５】
（実施の形態２）
図２９〜図４５を参照して、本発明の実施の形態２の電磁リレー１００を説明する。本実施の形態の電磁リレー１００は、実施の形態１の電磁リレー１００と比較して、基本構造においては、ほぼ同様の構成を有している。そのため、以下の実施の形態２の電磁リレー１００の説明においては、実施の形態１において既になされた構成の説明は繰り返さない。また、実施の形態１において説明された電磁リレー１００の構成と同一の構成については同一の参照符号を付している。したがって、以下の本実施の形態の説明においては、実施の形態１の電磁リレー１００と異なる点が主として説明される。
【０１４６】
（第１の例）
図２９〜図３５に示すように、第１の例の電磁リレー１００は、補助固定端子部６２４３と補助可動端子部６５とを備えている。また、第１の例の電磁リレー１００は、補助可動端子部６５を補助固定端子部６２４３に電気的に接続させるために、接極子４１に取り付けられた補助駆動部６１を備えている。本実施の形態の電磁リレー１００は、これらの構成のみが実施の形態１の電磁リレー１００に追加されている。この追加された構成以外の構成については、実施の形態１の電磁リレー１００と実施の形態２の電磁リレー１００とは、同一の構成を有している。
【０１４７】
図２９〜図３５に示すように、補助固定端子部６２４３は、実施の形態１において説明された固定端子部５１２および５３４とは異なる形態を有している。補助固定端子部６２４３は、補助外部入力／出力端子部６２と、補助外部入力／出力端子部６２に電気的に接続され得る補助外部出力／入力端子部６３とを備えている。補助可動端子部６５は、実施の形態１において説明された可動端子部４７および４８とは異なる形態を有する端子部である。補助可動端子部６５は、補助外部入力／出力端子部６２および６４と補助外部出力／入力端子部６３とを電気的に接続させ得るものである。
【０１４８】
上記した「異なる形態を有する端子部」とは、他の端子部との比較において、形状、模様、および色彩のうち少なくともいずれか１つが異なる端子部を意味する。
【０１４９】
図２９に示すように、補助外部入力／出力端子部６２および６４は、ボビン２１の矩形の上鍔部２２（図８参照）の角部から突出する突出部２１ａ１によって支持されている。突出部２１ａ１は、補助外部入力／出力端子部６４の高さを適切な位置に設定している。補助外部出力／入力端子部６３および補助可動端子部６５は、図２９に示すように、ボビン２１の矩形の上鍔部２２の角部から突出する突出部２１ａ２によって支持されている。突出部２１ａ２は、補助可動端子部６５の高さを適切な位置に設定している。
【０１５０】
本実施の形態においては、補助外部出力／入力端子部６３と補助可動端子部６５とが一体的に形成された例が示されているが、それらは独立して形成されていてよい。この場合、補助可動端子部６５が補助外部出力／入力端子部６３と補助外部入力／出力端子部６２および６４のそれぞれに電気的に接続される。したがって、接極子４１は、補助可動端子部６５を補助外部出力／入力端子部６３および補助外部入力／出力端子部６２および６４のそれぞれに向かって移動させる。
【０１５１】
補助可動端子部６５の根元部は、補助固定端子部６２４３の補助外部入力／出力端子部６４の高さと同じ高さにおいて、水平方向に延びている。一方、補助可動端子部６５の先端部は、折り曲げられ、補助外部入力／出力端子部６４の下方において延びている。補助外部入力／出力端子部６４の先端部の下面上には、補助固定接点６４ａが設けられている。補助可動端子部６５の折り曲げられた先端部の上面上には、補助可動接点６５ａが設けられている。そのため、補助固定接点６４ａと補助可動接点６５ａとが対向している。補助可動接点６５ａは、補助可動端子部６５が上方へ移動すると補助固定接点６４ａに接触する位置に設けられている。
【０１５２】
なお、補助可動端子部６５および補助固定端子部６２４３は、それぞれ、可動端子部４７（４８）および固定端子部５１２（５３４）と同程度の導電性を有する金属で形成されている。補助可動接点６５ａおよび補助固定接点６４ａは、いずれも、補助可動端子部６５および補助固定端子部６２４３と同程度かまたはそれより高い導電性を有する金属で形成されている。
【０１５３】
第１の例の電磁リレー１００においても、接極子４１は、実施の形態１と同様に、可動端子部４７（４８）を移動させる。電磁リレー１００がＯＦＦのときには、接極子４１の補助可動端子部６５側の端部が上方へ移動するため、補助駆動部６１が補助可動端子部６５を押し上げる。それにより、補助可動接点６５ａが補助固定接点６４ａに接触する。そのため、補助可動端子部６５と補助外部入力／出力端子部６２とが電気的に接続される。その結果、補助外部入力／出力端子部６２の先端部６２ａと補助外部出力／入力端子部６３の先端部６３ａとが電気的に接続される。つまり、先端部６２ａと先端部６３aとの間で電流が流れ得る状態が形成される。
【０１５４】
一方、電磁リレー１００がＯＮのときには、接極子４１の補助可動端子部６５側の端部が下方へ移動するため、補助駆動部６１は、補助可動端子部６５から離れるように下方へ移動する。それにより、補助可動接点６５ａが補助固定接点６４ａから離れる。その結果、補助外部入力／出力端子部６２の先端部６２ａと補助外部出力／入力端子部６３の先端部６３ａとは、電気的に遮断される。
【０１５５】
本実施の形態の第１の例の電磁リレー１００の特徴的構成は、図２９、図３０、図３３、および図３４に示されている。図示されるように、外部入力／出力端子部５１（５３）の先端部５１ａ（５３ａ）および外部出力／入力端子部５２（５４）の先端部５２ａ（５４ａ）がボディ１０の下側面から外部へ突出している。これに加えて、補助外部入力／出力端子部６２の先端部６２ａおよび補助外部出力／入力端子部６３の先端部６３ａもボディ１０の下側面から外部へ突出している。
【０１５６】
なお、本明細書においては、補助外部入力／出力端子と、補助外部出力／入力端子部とは、補助可動端子部によって電気的に接続され得る一対をなす外部端子部を意味する。ある場合には、一対の補助外部入力／出力端子部および補助外部出力／入力端子部のうち、一方が補助外部入力端子となり、他方が補助外部出力端子部となる。また、他の場合には、一対の補助外部入力／出力端子部および補助外部出力／入力端子部のうち、前述の一方が外部出力端子となり、前述の他方が外部入力端子部となる。溶着等の可動端子部と固定端子部の動作不良の検出において、一対の補助外部入力／出力端子部および補助外部出力／入力端子部のいずれもが、入力端子部として機能することもあれば、出力端子部として機能することもある。
【０１５７】
第１の例の電磁リレー１００においては、一対の補助外部入力／出力端子部６２および６４と補助外部出力／入力端子部６３とが、補助可動端子部６５によって電気的に接続され得る補助固定端子部６２４３を構成している。本実施の形態においては、補助可動端子部６５のみが移動する。
【０１５８】
図２９および図３４に示すように、補助外部入力／出力端子部６４は、補助可動端子部６５によって押し上げられた結果、弾性変形により僅かにたわむ。しかしながら、補助外部入力／出力端子部６４は、補助可動端子部６５と補助固定端子部６２４３との接触の結果として移動するため、本明細書においては、補助固定端子部６２４３の一部を構成するものとして言及されている。
【０１５９】
図２９〜図３５に示すように、第１の例の電磁リレー１００は、補助駆動部６１が、押上部６１ａと取付部６１ｂ，６１ｃとを有している。押上部６１ａは、補助可動端子部６５を上方へ押し上げるために接極子４１から突出する突出部である。押上部６１ａは、補助可動端子部６５を押し上げることにより、補助可動接点６５ａを補助固定接点６４ａに接触させる。取付部６１ｂおよび取付部６１ｃは、それぞれ、接極子４１を係止する係止部を備えている。接極子４１と補助駆動部６１とは、取付部６１ｂおよび取付部６１ｃのそれぞれの係止部によって互いに固定される。したがって、補助駆動部６１と接極子４１とは、一体構造として移動する。
【０１６０】
補助駆動部６１は、絶縁性を有する部材、たとえば、樹脂成形品によって形成されていることが望ましい。接極子４１が導電性を有していても、接極子４１と補助可動端子部６５とが電気的に接続されることが防止されるからである。これによれば、接極子４１および補助駆動部６１を媒介として、可動端子部４７（４８）と補助可動端子部６５とが電気的に接続されてしまう不具合の発生確率を極めて低くすることが可能になる。
【０１６１】
図３５から分かるように、補助固定端子部６２４３の一部は、電磁石部２０と実質的に直方体形状の内部空間を有するカバー１内に設けられている。具体的には、補助外部入力／出力端子部６２および補助外部出力／入力端子部６３は、それぞれ、平面視において、カバー１（ボディ１０）の角部１０ｂ，１０ｃと電磁石部２０の中心位置Ｃとの間の空間に設けられている（図１８参照）。なお、電磁石部２０の中心位置Ｃは、円筒形のボビン２１の中心軸と一致する。また、図３４に示すように、補助外部入力／出力端子部６２および補助外部出力／入力端子部６３は、それぞれ、電磁石部２０の巻き線２５（図７および図８参照）の中心軸に平行に延びている。したがって、電磁リレー１００内の空間の有効利用がなされている。
【０１６２】
第１の例の電磁リレー１００においては、補助駆動部６１の押上部６１ａが、補助可動端子部６５を補助外部入力／出力端子部６４に向かって下側から押し上げる。そのため、補助外部入力／出力端子部６４の自重を利用して、補助可動接点６５ａと補助固定接点６４ａとの電気的接続を良好にすることができる。
【０１６３】
（第２の例）
図３６に示すように、第２の例の電磁リレー１００においては、第１の例の補助駆動部６１を接極子４１に取り付けることの代わりに、接極子４１が棒状に延びる補助駆動部４１ａをその一部として含んでいる。この構成以外の構成については、第２の例の電磁リレー１００は、第１の例の電磁リレー１００と同一である。
【０１６４】
第２の例の電磁リレー１００においても、接極子４１と補助駆動部４１ａとが一体構造として動作する。具体的には、電磁リレー１００がＯＦＦのときには、接極子４１の補助可動端子部６５側の端部が上方へ移動するため、補助駆動部４１ａが補助可動端子部６５を押し上げる。それにより、補助可動端子部６５の補助可動接点６５ａが補助固定端子部６２４３の補助固定接点６４ａに接触する。その結果、補助可動端子部６５を媒介として、補助外部入力／出力端子部６２の先端部６２ａと補助出力／入力端子部６３の先端部６３ａとが電気的に接続される。
【０１６５】
一方、電磁リレー１００がＯＮのときには、接極子４１の補助可動端子部６５側の端部が下方へ移動する。そのため、補助駆動部４１ａは、補助可動端子部６５から離れるように下方へ移動する。それにより、補助可動接点６５ａが補助固定接点６４ａから離れる。その結果、補助外部入力／出力端子部６２の先端部６２ａと補助外部出力／入力端子部６３の先端部６３ａとは、電気的に遮断される。
【０１６６】
第２の例の電磁リレー１００においては、補助駆動部４１ａは、接極子４１と同一材料で接極子４１と一体的に形成されている。この点以外は、第２の例の電磁リレー１００は、前述の第１の例の電磁リレー１００と同一の構成を備えている。
【０１６７】
上記のような第２の例の電磁リレー１００によれば、補助駆動部４１ａが接極子４１の一部であるため、接極子４１と補助駆動部４１ａとを同一の金型を用いて１回の成形工程で形成することができる。また、電磁リレー１００の部品点数を低減することができる。
【０１６８】
図３６から分かるように、第２の例の電磁リレー１００においても、第１の電磁リレー１００と同様に、補助駆動部４１ａは、補助外部入力／出力端子部６４に向かって、補助可動端子部６５をその下側から押し上げる。そのため、補助外部入力／出力端子部６４の自重を利用して、補助可動接点６５ａと補助固定接点６４ａとの電気的接続を良好にすることができる。
【０１６９】
図３６から分かるように、第２の例の電磁リレー１００においても、補助固定端子部６２４３の一部は、電磁石部２０と実質的に直方体形状の内部空間を有するカバー１内に設けられている。具体的には、補助外部入力／出力端子部６２および補助外部出力／入力端子部６３は、それぞれ、カバー１（ボディ１０）の角部１０ｂ，１０ｃと電磁石部２０の中心位置Ｃとの間の空間に設けられている（図１８参照）。補助外部入力／出力端子部６２および補助外部出力／入力端子部６３は、それぞれ、電磁石部２０の巻き線２５（図７および図８参照）の中心軸に平行に延びている。したがって、電磁リレー１００内の空間の有効利用がなされている。
【０１７０】
（第３の例）
図３７に示すように、第３の例の電磁リレー１００においては、第１の例の補助駆動部６１の代わりに、補助駆動部６１０が設けられている。補助駆動部６１と補助駆動部６１０とは、互いの形状が異なっている。この構成以外の構成においては、第３の例の電磁リレー１００は、第１の例の電磁リレー１００と実質的に同一である。
【０１７１】
第３の例の電磁リレー１００においても、接極子４１と補助駆動部６１０とが一体構造として動作する。具体的には、電磁リレー１００がＯＦＦの状態においては、補助駆動部６１０が補助可動端子部６５を押し上げる。それにより、補助可動端子部６５の補助可動接点６５ａが補助固定端子部６２４３の補助固定接点６４ａに接触する。その結果、補助可動端子部６５を媒介として、補助外部入力／出力端子部６２の先端部６２ａと補助出力／入力端子部６３の先端部６３ａとが電気的に接続される。
【０１７２】
一方、電磁リレー１００がＯＮのときには、接極子４１の補助可動端子部６５側の端部が下方へ移動するため、補助駆動部６１０は、補助可動端子部６５から離れるように下方へ移動する。それにより、補助可動接点６５ａが補助固定接点６４ａから離れる。その結果、補助外部入力／出力端子部６２の先端部６２ａと補助外部出力／入力端子部６３の先端部６３ａとは、電気的に遮断される。
【０１７３】
第３の例の電磁リレー１００においては、補助駆動部６１０は、接極子４１とは別部材で形成されている。そのため、第１の例の電磁リレー１００と同様に、補助駆動部６１０が絶縁性を有する部材、たとえば、樹脂成形品によって形成されていることが望ましい。これによれば、接極子４１が導電性を有していても、接極子４１と補助可動端子部６５とが電気的に接続されることは防止されている。
【０１７４】
また、第３の例の補助駆動部６１０によれば、第１の例の電磁リレー１００の補助駆動部６１に比較して、補助可動端子部６５の先端側の端部により近い位置を押し上げる。そのため、補助可動端子部６５の先端側のたわみ量を小さくすることができる。
【０１７５】
図３７から分かるように、第３の例の電磁リレー１００においても、第１の電磁リレー１００と同様に、補助駆動部６１０は、補助外部入力／出力端子部６４に向かって、補助可動端子部６５を下側から押し上げる。そのため、補助外部入力／出力端子部６４の自重を利用して、補助可動接点６５ａと補助固定接点６４ａとの電気的接続を良好にすることができる。
【０１７６】
図３７から分かるように、第３の例の電磁リレー１００においても、補助固定端子部６２４３の一部は、電磁石部２０と実質的に直方体形状の内部空間を有するカバー１内に設けられている。具体的には、補助外部入力／出力端子部６２および補助外部出力／入力端子部６３は、それぞれ、カバー１（ボディ１０）の角部１０ｂ，１０ｃと電磁石部２０の中心位置Ｃとの間の空間に設けられている（図１８参照）。補助外部入力／出力端子部６２および補助外部出力／入力端子部６３は、それぞれ、電磁石部２０の巻き線２５（図７および図８参照）の中心軸に平行に延びている。したがって、電磁リレー１００内の空間の有効利用がなされている。
【０１７７】
（第４の例）
図３８に示すように、第４の例の電磁リレー１００においては、前述の第１の例の補助駆動部６１の代わりに、補助可動端子部６６０が接極子４１に取り付けられている。前述の第１の例の電磁リレー１００の外部入力／出力端子部６４の代わりに、外部入力／出力端子部６４０が設けられている。前述の第１の例の電磁リレー１００の補助可動端子部６５の代わりに、外部出力／入力端子部６５０が設けられている。
【０１７８】
本第４の例の外部入力／出力端子部６４０と外部出力／入力端子部６５０とは、いずれも、補助固定端子部６２４３の一部を構成している。補助可動端子部６６０は、導電性を有している。したがって、外部入力／出力端子部６４０と外部出力／入力端子部６５０とは、補助可動端子部６６０を媒介として電気的に接続される。
【０１７９】
第４の例の電磁リレー１００においては、前述の第１の例の電磁リレー１００の補助可動接点６５ａの代わりに、補助可動端子部６６０には２つの補助可動接点６６０ａ１および６６０ａ２が設けられている。前述の第１の例の電磁リレー１００の補助固定接点６４ａの代わりに、補助入力／出力端子部６４０（補助固定端子部６２４３）には補助固定接点６４０ａおよび６５０ａが設けられている。これらの構成以外においては、第４の例の電磁リレー１００は、第１の例の電磁リレー１００と同一である。
【０１８０】
第４の例の電磁リレー１００においても、電磁リレー１００がＯＦＦの状態では、接極子４１と補助可動端子部６６０とが一体構造として上方へ押し上げられる。それにより、２つの補助可動接点６６０ａ１および６６０ａ２が、それぞれ、２つの補助固定接点６４０ａおよび６５０ａに接触する。その結果、補助可動端子部６６０を媒介として、補助外部入力／出力端子部６２の先端部６２ａと補助出力／入力端子部６３の先端部６３ａとが電気的に接続される。
【０１８１】
一方、電磁リレー１００がＯＮのときには、接極子４１に取り付けられた補助可動端子部６６０が補助外部入力／出力端子部６４０および補助外部出力／入力端子部６５０から離れるように下方へ移動する。それにより、補助可動接点６６０ａ１および補助可動接点６６０ａ２が補助固定接点６４０ａおよび６５０ａから離れる。その結果、補助外部入力／出力端子部６２の先端部６２ａと補助外部出力／入力端子部６３の先端部６３ａとは、電気的に遮断される。
【０１８２】
図３８に示すように、第４の例の電磁リレー１００においては、補助可動端子部６６０が接極子４１に直接取り付けられている。この場合、補助入力／出力端子部６２および６４０と補助出力／入力端子部６３および６５０を鏡面対称に形成することが可能になる。
【０１８３】
図３８から分かるように、第４の例の電磁リレー１００においては、補助可動端子部６６０が、補助外部入力／出力端子部６４０および補助外部出力／入力端子部６５０をその下側から押し上げる。そのため、補助外部入力／出力端子部６４０および補助外部出力／入力端子部６５０の自重を利用して、補助可動接点６６０ａ１および６６０ａ２と補助固定接点６４０aおよび６５０ａとの電気的接続を良好にすることができる。
【０１８４】
図３８から分かるように、第４の例の電磁リレー１００においても、補助固定端子部６２４３の一部は、電磁石部２０と実質的に直方体形状の内部空間を有するカバー１内の空間に設けられている。具体的には、補助外部入力／出力端子部６２および補助外部出力／入力端子部６３は、それぞれ、カバー１の角部１０ｂ，１０と電磁石部２０の中心位置Ｃとの間の空間に設けられている（図１８参照）。補助外部入力／出力端子部６２および補助外部出力／入力端子部６３は、それぞれ、電磁石部２０の巻き線２５（図７および図８）の中心軸に平行に延びている。したがって、電磁リレー１００内の空間の有効利用がなされている。
【０１８５】
（第５の例）
図３９に示すように、第５の例の電磁リレー１００においては、第１の例の電磁リレー１００の補助駆動部６１の代わりに、絶縁性の補助駆動部６７００および６６００が設けられている。
【０１８６】
補助駆動部６７００と補助駆動部６６００とは、互いに回動可能に接続されている。補助固定端子部６２４３は、一対の補助外部入力／出力端子部６２００および補助外部出力／入力端子部６３００により構成されている。補助外部入力／出力端子部６２００および補助外部出力／入力端子部６３００は、ボディ１０に固定されている。補助外部入力／出力端子部６２００の外部側の先端部６２ａおよび補助外部出力／入力端子部６３００の外部側の先端部６３ａは、それぞれ、ボディ１０の底面から下方へ突出している。
【０１８７】
補助外部入力／出力端子部６４００の先端部の下面上には補助固定接点６４００ａが設けられている。補助可動端子部６５００の先端部の上面上には、補助可動接点６５００ａが設けられている。これらの構成以外の構成においては、第５の例の電磁リレー１００は、第１の例の電磁リレー１００と実質的に同一である。
【０１８８】
第５の例においては、補助駆動部６７００および６６００が一体構造として動作する。具体的には、電磁リレー１００がＯＦＦの状態においては、接極子４１の補助駆動部６７００側の端部が上方へ移動すると、補助駆動部６７００に接続された補助駆動部６６００が、下方から補助可動端子部６５００を押し上げる。
【０１８９】
それにより、外部出力／入力端子部６３００に連続する補助可動端子部６５００の補助可動接点６５００ａが補助固定端子部６２４３を構成する外部入力／出力端子部６４００の補助固定接点６４ａに接触する。その結果、補助可動端子部６５００を媒介として、補助外部入力／出力端子部６２００と補助出力／入力端子部６３００とが電気的に接続される。その結果、補助外部入力／出力端子部６２００の先端部６２ａと補助出力／入力端子部６３００の先端部６３ａとが電気的に接続される。
【０１９０】
一方、電磁リレー１００がＯＮのときには、接極子４１の補助駆動部６７００側の端部が下方へ移動するため、補助駆動部６７００が下方へ移動する。それにより、補助駆動部６６００は、補助可動端子部６５から離れるように下方へ移動する。このとき、補助可動接点６５００ａが補助固定接点６４００ａから離れる。その結果、補助外部入力／出力端子部６２００の先端部６２ａと補助外部出力／入力端子部６３００の先端部６３ａとは、電気的に遮断される。
【０１９１】
第５の例の電磁リレー１００においては、補助駆動部６７００および６６００は、接極子４１と別部材で形成されている。そのため、第１の例の電磁リレー１００と同様に、補助駆動部６７００および６６００が絶縁性を有する部材、たとえば、樹脂成形品によって形成することができる。この場合、接極子４１が導電性を有していても、接極子４１と補助可動端子部６５００とが電気的に接続されることは防止される。
【０１９２】
また、第５の例の補助駆動部６６００は、平面視において、カバー１（ボディ１０）の角部１０ｂ，１０ｃと電磁石部２０の中心位置Ｃとの間の空間に形成されている（図１８参照）。補助駆動部６６００は、電磁石部２０の巻き線２５(図７および図８参照)の中心軸に平行に延びている。そのため、カバー１内の空間を有効に利用していることは、上記の第１〜第４の例の電磁リレー１００と同様である。
【０１９３】
また、補助外部入力／出力端子部６２００および補助外部出力／入力端子部６３００（補助固定端子部６２４３）は、ボディ１０に固定されている。そのため、補助外部入力／出力端子部６２００および補助外部出力／入力端子部６３００の全体の長さが短くされている。補助外部入力／出力端子部６２００および補助外部出力／入力端子部６３００は、電磁石部２０とカバー１との間の空間に設置されているため、電磁リレー１００内の空間の有効利用がなされている。
【０１９４】
（第６の例）
図４０に示すように、第６の例の電磁リレー１００においては、図３８に示す第４の例の電磁リレー１００と同様に、第１の例の電磁リレー１００の補助駆動部６１の代わりに、補助可動端子部６６０が接極子４１に取り付けられている。第１の例の電磁リレー１００の外部入力／出力端子部６４の代わりに、外部入力／出力端子部６４０が設けられている。第１の例の電磁リレー１００の補助可動端子部６５の代わりに、外部出力／入力端子部６５０が設けられている。
【０１９５】
第６の例の電磁リレー１００においては、外部入力／出力端子部６４０と、外部出力／入力端子部６５０とは、いずれも、補助固定端子部６２４３の一部を構成している。第６の例の電磁リレー１００は、外部入力／出力端子部６４０の先端部が端子接点部６４１と端子接点部６４２との２つの枝に分かれている点において、第４の例の電磁リレー１００と異なっている。第６の例の電磁リレー１００は、外部出力／入力端子部６５０の先端部が端子接点部６５１と端子接点部６５２との２つの枝に分かれている点において、第４の例の電磁リレー１００と異なっている。
【０１９６】
そのため、端子接点部６４１の下面上には、補助固定接点６４１ａが設けられている。端子接点部６４２の下面上には、補助固定接点６４２ａが設けられている。端子接点部６５１の下面上には、補助固定接点６５１ａが設けられている。端子接点部６５２の下面上には、補助固定接点６５２aが設けられている。補助可動端子部６６０の上面上には、補助可動接点６６０ａ１および６６０ａ２が設けられている。
【０１９７】
上の構成以外の構成においては、第６の例の電磁リレー１００は、第４の例の電磁リレー１００と実質的に同一である。
【０１９８】
第６の例の電磁リレー１００においても、接極子４１と補助可動端子部６６０とが一体構造として動作する。具体的には、電磁リレー１００がＯＦＦ状態になると、接極子４１の補助可動端子部６６０側の端部が上方へ移動する。それにより、補助可動端子部６６０が上方へ移動する。その結果、２つの補助可動接点６６０ａ１および６６０ａ２が、それぞれ、補助固定接点６４１ａ，６４２ａ、および、補助固定接点６５１ａ，６５２ａに接触する。その結果、補助可動端子部６６０を媒介として、補助外部入力／出力端子部６２の先端部６２ａと補助出力／入力端子部６３の先端部６３ａとが電気的に接続される。
【０１９９】
一方、電磁リレー１００がＯＮのときには、接極子４１の補助可動端子部６６０側の端部が下方へ移動するため、補助可動端子部６６０が下方へ移動する。それにより、補助可動接点６６０ａ１および６６０ａ２は、補助固定接点６４１ａ，６４２ａ，６５１ａ，６５２ａから離れる。その結果、補助外部入力／出力端子部６２の先端部６２ａと補助外部出力／入力端子部６３の先端部６３ａとは、電気的に遮断される。
【０２００】
図４０に示すように、補助可動端子部６６０が接極子４１に直接取り付けられている。この場合、補助入力／出力端子部６２および６４０と補助出力／入力端子部６３および６５０を鏡面対称に形成することが可能になる。
【０２０１】
第６の例の電磁リレー１００においては、上記したように、外部入力／出力端子部６４０の先端部が、端子接点部６４１と端子接点部６４２との２つの枝に分かれている。また、外部出力／入力端子部６５０の先端部が、端子接点部６５１と端子接点部６５２との２つの枝に分かれている。そのため、補助可動端子部６６０の傾斜状態に応じて、端子接点部６４１、端子接点部６４２、端子接点部６５１、および端子接点部６５２のそれぞれが独立して弾性変形する。その結果、補助接点６６０ａ１，６６０ａ２と補助固定接点６４１ａ，６４２ａ，６５１ａ，６５２ａとが接触不良の状態になるおそれが低減されている。
【０２０２】
（第１の例〜第６の例の電磁リレー１００の共通事項）
図４１から分かるように、上記した第１〜第６の例の電磁リレー１００のいずれにおいても、ボディ１０の底面を、その底面に垂直な方向に沿って見たときに、次の利点を有している。なお、ボディ１０の底面は、図４１に示すように、実質的に矩形の底面を有している。実質的に矩形とは、角部が丸まっていてもなお、各辺を延長した場合の仮想線が、長方形を描くものを含むものである。また、実質的に矩形とは、輪郭が多少の凹凸を含んでいてもなお、主たる線を延長することにより仮想の長方形の形状が描き得る形状を含むものである。
【０２０３】
外部入力／出力端子部５１の先端部５１ａと外部出力／入力端子部５２の先端部５２ａとは、実質的に矩形のボディ１０の底面の対向する互いに平行な２つの辺に平行な仮想の直線（図４１の仮想線ＶＩ参照）上において並んでいる。外部入力／出力端子部５３の先端部５３ａと外部出力／入力端子部５４の先端部５４ａとは、実質的に矩形のボディ１０の底面の対向する互いに平行な２つの辺に平行な仮想の直線（図４１の仮想線ＶＩＩ参照）上において並んでいる。補助外部入力／出力端子部６２の先端部６２ａと補助外部出力／入力端子部６３の先端部６３ａとは、実質的に矩形のボディ１０の底面の対向する互いに平行な２つの辺に平行な仮想の直線（図４１の仮想線Ｘ参照）上において並んでいる。
【０２０４】
一対のコイル端子部２５ａ１とコイル端子部２５ａ２とは、実質的に矩形のボディ１０の底面の対向する互いに平行な２つの辺に平行な仮想の直線（図４１の仮想線Ｘ参照）上において並んでいる。コイル端子部２５ａ１、コイル端子部２５ａ２、補助外部入力／出力端子部６２の先端部６２ａ、および補助外部出力／入力端子部６３の先端部６３ａは、同一の仮想の直線（図４１の仮想線Ｘ参照）上において並んでいる。したがって、ボディ１０の底面から突出する複数の外部端子の配置が整然としている。
【０２０５】
図４１から分かるように、ボディ１０の底面は、参照符号１０ａによって特定される凹部を有する表面形状を有している。そのため、凹凸１０ａによって特定され図柄からいずれの位置に電磁石部２０等の各部品が存在するかが容易に理解される。したがって、ボディ１０の底面から突出する複数の外部端子のいずれが、いかなる端子であるのかが容易に理解される。固定端子部５１２および５３４側の辺が突出部を有しているからである。
【０２０６】
これにより、仮に先端部６２ａ，６３ａが先端部５１ａ，５２ａ，５３ａ，５４ａと同一の形状を有していても、先端部６２ａ，６３ａは、先端部５１ａ，５２ａ，５３ａ，５４ａから視覚によって識別され得る。なお、ボディ１０の底面には、凹凸１０ａの形状の代わりに、その凹凸形状と同様の図柄が塗料等により描かれていてもよい。
【０２０７】
本実施の形態においては、図４１から分かるように、先端部６２ａおよび先端部６３ａは、先端部５１ａ、先端部５２ａ、先端部５３ａ、および先端部５４ａから容易に識別され得る形状を有している。また、先端部６２ａおよび先端部６３ａは、コイル端子部２５ａ１およびコイル端子部２５ａ２から容易に識別され得る形状を有している。したがって、補助外部入力／出力端子部６２の先端部６２ａおよび補助外部出力／入力端子部６３の先端部６３ａは、それらの形状に基づいて、先端部５１ａ，５２ａ，５３ａ，５４ａから視覚によって識別され得る。
【０２０８】
図４２に示すように、電磁リレー１００の電気回路図は、図２４に示された電気回路図に補助外部入力／出力端子部６２の先端部６２ａおよび補助外部出力／入力端子部６３の先端部６３ａが追加されたものになっている。
【０２０９】
上記した本実施の形態の第１の例の電磁リレー１００は、一対のコイル端子部２５ａ１，２５ａ２に交流電流が流されると、電磁石部２０の巻き線２５に交流電流が流れる。その結果、実施の形態１の電磁リレー１００と同様に、本実施の形態の電磁リレー１００は、図４３に示すＯＦＦ状態から図４４に示すＯＮ状態に変化する。
【０２１０】
図４３に示すように、電磁リレー１００がＯＦＦにされた状態では、電磁石部２０は電磁力による吸引力を発生させていない。そのため、接極子４１および補助駆動部６１は、補助可動端子部６５を上方へ押し上げている。その結果、補助可動端子部６５と補助入力／出力端子部６４とが電気的に接続されるように、補助可動接点６５ａと補助固定接点６４ａとが接触している。したがって、検査装置を用いて、先端部６２ａと先端部６３ａとの間で電流を流すことができる。
【０２１１】
このとき、可動端子部４７（４８）は、ほぼ鉛直方向に沿って、垂れ下がっている。そのため、可動接点４５ａ，４５ｂ，４６ａ，４６ｂは、それぞれ、固定接点５２ｂ，５１ｂ，５４ｂ，５３ｂに接触していない。したがって、先端部５１ａと先端部５２ａとの間で電流が流れず、また、先端部５３ａと先端部５４ａとの間でも電流が流れない。
【０２１２】
図４４に示すように、電磁リレー１００がＯＮ状態では、電磁石部２０は、電磁力による吸引力を発生させる。それにより、接極子４１を下側へ引き寄せる。そのため、補助可動端子部６５は、補助外部入力／出力端子部６４から離れる。その結果、補助可動接点６５ａは、補助固定接点６４ａから離れる。
【０２１３】
このとき、検査装置を用いても、先端部６２ａと先端部６３ａとの間で電流は流れない。また、可動端子部４７（４８）は、接極子４１の動作によって、固定端子部５１２（５３４）へ向かって押し出される。その結果、可動接点４５ａ，４５ｂ，４６ａ，４６ｂは、それぞれ、固定接点５２ｂ，５１ｂ，５４ｂ，５３ｂに接触する。したがって、先端部５１ａと先端部５２ａとの間で電流が流れ、また、先端部５３ａと先端部５４ａとの間で電流が流れる。
【０２１４】
次に、図４５を参照して、可動端子部４７（４８）と固定端子部５１２（５３４）とが溶着した状態の電磁リレー１００を説明する。
【０２１５】
図４５は、可動端子部４７，４８の可動接点４５ａ，４５ｂ，４６ａ，４６ｂと固定端子部５１２，５３４の固定接点５２ｂ，５１ｂ，５４ｂ，５３ｂとが溶着した状態を示している。電磁リレー１００がＯＦＦにされると、可動接点４５ａ，４５ｂ，４６ａ，４６ｂと固定接点５２ｂ，５１ｂ，５４ｂ，５３ｂとは、本来、接触していない状態にならなければならない。しかしながら、可動端子部４７（４８）と固定端子部５１２（５３４）とが溶着すると、可動接点４５ａ，４５ｂ，４６ａ，４６ｂは、固定接点５２ｂ，５１ｂ，５４ｂ，５３ｂから離れられない。この状態では、補助可動接点６５ａは、補助固定接点６４ａから離れている。つまり、可動接点４５ａ，４５ｂ，４６ａ，４６ｂと固定接点５２ｂ，５１ｂ，５４ｂ，５３ｂとが溶着した場合には、電磁リレー１００は、電気回路の観点では、ＯＮ状態と同様の状態になっている。
【０２１６】
そのため、検査装置によって補助外部入力／出力端子部６２の先端部６２ａと補助外部出力／入力端子部６３の先端部６３ａとの間に電圧が印加されても、先端部６２ａと先端部６３ａとの間で電流は流れない。したがって、補助固定端子部６２４３および補助可動端子部６５を有する電磁リレー１００によれば、検査装置を用いて、可動端子部４７（４８）と固定端子部５１２（５３４）との溶着を容易に検出することができる。
【０２１７】
以下、実施の形態の電磁リレー１００の構成および効果を具体的に説明する。
【０２１８】
（１）  本実施の形態の電磁リレー１００は、次の（ｉ）〜（ｖ）の構成を備えている。
【０２１９】
（ｉ）  外部入力／出力端子部５１（５３）と、外部入力／出力端子部５１（５３）に電気的に接続され得る外部出力／入力端子部５２（５４）と、を有する固定端子部５１２（５３４）
（ii）  外部入力／出力端子部５１（５３）と外部出力／入力端子部５２（５４）とを電気的に接続させ得る可動端子部４７（４８）
（iii）  固定端子部５１２（５３４）とは異なる形態を有する端子部であって、補助外部入力／出力端子部６２と、補助外部入力／出力端子部６２に電気的に接続され得る補助外部出力／入力端子部６３と、を有する補助固定端子部６２４３
（iv）  可動端子部４７（４８）とは異なる形態を有する端子部であって、補助外部入力／出力端子部６２と補助外部出力／入力端子部６３とを電気的に接続させ得る補助可動端子部６５，６６０，６５００
（ｖ）  可動端子部４７（４８）が外部入力／出力端子部５１（５３）および外部出力／入力端子部５２（５４）のそれぞれに電気的に接続されるか否かを切り替える場合に、補助可動端子部６５が補助外部入力／出力端子部６２および補助外部出力／入力端子部６３のそれぞれに電気的に接続されるか否かを切り替えるように、可動端子部４７（４８）および補助可動端子部６５のそれぞれを移動させる接極子４１
上記の（ｉ）〜（ｖ）の構成によれば、補助外部入力／出力端子部６２の先端部６２ａおよび補助外部出力／入力端子部６３の先端部６３ａを電磁リレー１００の異常な状態の検出用の端子として用いることができる。この異常な状態は、可動端子部４７（４８）および固定端子部５１２（５３４）の動作不良である。この動作不良としては、たとえば、可動端子部４７（４８）と固定端子部５１２（５３４）との間の溶着が一例として考えられる。
【０２２０】
一般的には、可動端子部４７（４８）と固定端子部５１２（５３４）との動作不良は、可動端子部４７（４８）と固定端子部５１２（５３４）との溶着である場合が多い。しかしながら、可動端子部４７（４８）と固定端子部５１２（５３４）との溶着以外にも、何らかの原因で可動端子部４７（４８）が固定端子部５１２（５３４）に接触した状態となる場合もあると考えられる。この場合にも、補助外部入力／出力端子部６２の先端部６２ａおよび補助外部出力／入力端子部６３の先端部６３ａを用いて、可動端子部４７（４８）および固定端子部５１２（５３４）の動作不良を検出することができる。
【０２２１】
なお、上記の構成（ｉ）〜（ｖ）に記載された参照符号５１，５２，５３，５４，４７，４８，６２，６３，６５によって特定される各端子部および接極子４１の形状は、いかなるものであってもよい。つまり、それらの形状は、可動端子部４７（４８）および固定端子部５１２（５３４）の動作不良を検出できるものであれば、いかなるものであってもよい。
【０２２２】
また、上記（１）に記載された構成（ｉ）〜（ｖ）を備えた電磁リレー１００は、カバー１およびボディ１０によって内部構造が覆われていない場合の電磁リレーを含むものである。上記の補助可動端子部６５および補助固定端子部６２４３を用いる溶着等の検出方法は、次の項目（ａ）〜（ｃ）に記載の場合に効果的である。次の項目（ａ）〜（ｃ）は、いずれも、可動端子部および固定端子部の動作不良の有無を直接視認しに難いかまたは直接視認できない場合の一例である。
【０２２３】
（ａ）暗い部屋内に電磁リレーが設置されている場合
（ｂ）可動部（可動端子部、固定端子部、接極子）が外部から見えないように他の部材に囲まれている場合
（ｃ）可動端子部および固定端子部から遠く離れた位置で、それらの溶着を検出しなければならない場合
なお、補助可動端子部６５の状態を視認することができる場合には、補助可動端子部６５および補助固定端子部６２４３の視認された状態から可動端子部および固定端子部の動作不良を検出することも可能である。たとえば、上記の実施の形態２において、カバー１の少なくとも一部が透明である場合を考える。この場合、補助可動端子部６５および補助固定端子部６２４３の状態を電磁リレー１００の外部から視認することができる。したがって、この場合には、視覚によって認識された補助可動端子部６５および補助固定端子部６２４３の状態から可動端子部および固定端子部の動作不良を検出することも可能である。
【０２２４】
上記の実施の形態においては、外部入力／出力端子部５１（５３）、外部出力／入力端子部５２（５４）、および可動端子部４７（４８）のそれぞれは、独立した部材である。しかしながら、本発明においては、外部入力／出力端子部５１（５３）および外部出力／入力端子部５２（５４）のいずれか一方と可動端子部４７（４８）とが一体構造として形成されていてもよい。
【０２２５】
加えて、本発明の電磁リレーにおいては、図３８および図４０に示すように、補助外部入力／出力端子部６２、補助外部出力／入力端子部６３、および補助可動端子部６６０，６５００のそれぞれは、独立した部材であってもよい。しかしながら、本発明の電磁リレーにおいては、図２９および図３７から分かるように、補助外部入力／出力端子部６２および補助外部出力／入力端子部６３のいずれか一方と補助可動端子部６５とが一体構造として形成されていてもよい。
【０２２６】
なお、上記した「異なる形態を有する端子部」とは、他の端子部との比較において、形状、模様、および色彩のうち少なくともいずれか１つが異なる端子部を意味する。
【０２２７】
（２）  電磁リレー１００は、固定端子部５１２（５３４）および可動端子部４７（４８）と補助固定端子部６２４３および補助可動端子部６５との間に設けられた仕切壁部１４を備えていてもよい。
【０２２８】
一般に、固定端子部５１２（５３４）と可動端子部４７（４８）との接触と非接触との繰り返しに起因して磨耗粉が飛散する。しかしながら、上記の構成によれば、間仕切壁部１４によって補助固定端子部６２４３および補助可動端子部６５，６６０，６５００のそれぞれに磨耗分が付着することが防止される。
【０２２９】
（３）  電磁リレー１００は、補助可動端子部６５と補助固定端子部６２４３とが電気的に接続されるか否かを切り替える。この動作のために用いられる部分として、電磁リレー１００は、補助可動端子部６５に接触しながら、補助可動端子部６５を移動させる補助駆動部６１，６１０，６７００および６６００を備えていてもよい。この場合、補助駆動部が接極子４１に取り付けられていてもよい(図２９、図３７、図３９)。
【０２３０】
上記の構成によれば、補助駆動部を接極子４１とは別の様々な材料を用いて形成することができる。
【０２３１】
たとえば、補助駆動部をプラスチック部材等の接極子４１よりも軽量な部材により形成することにより、電磁リレー１００の軽量化を図ることができる。
【０２３２】
（４）  接極子４１が導電性の部材で形成されており、補助駆動部６１，６１０，６７００および６６００が絶縁性の部材で形成されていてもよい(図２９、図３７、図３９)。
【０２３３】
上記の構成によれば、接極子４１と補助可動端子部６５とを電気的に絶縁することができる。
【０２３４】
（５）  接極子４１は、補助可動端子部６５と補助固定端子部６２４３とが電気的に接続されるか否かを切り替えるように、補助可動端子部６５に接触しながら、補助可動端子部６５を移動させる補助駆動部４１ａを含んでいてもよい（図３６）。
【０２３５】
上記の構成によれば、新たな製造工程の付加なく、接極子４１の形成とともに、補助駆動部４１ａを形成することができる。
【０２３６】
（６）  補助可動端子部６６０が接極子４１に直接取り付けられていてもよい（図３８、図４０）。
【０２３７】
これによれば、補助固定端子部６２４３を鏡面対称に形成することが可能になる。
【０２３８】
（７）  接極子４１は、固定端子部５１２（５３４）と可動端子部４７（４８）とが電気的に接続されているときに、補助可動端子部６５と補助固定端子部６２４３とが電気的に接続されていないように、可動端子部４７（４８）および補助可動端子部６５のそれぞれを移動させてもよい。これは、上記した第１の例〜第６の例の電磁リレー１００のすべてに共通して用いられている構成である。
【０２３９】
上記の構成によれば、電磁リレー１００がＯＮ状態のときに、補助外部入力／出力端子部６２と補助外部出力／入力端子部６３との間で電流は流れない。そのため、電磁リレー１００の使用中に、補助外部入力／出力端子部６２および補助外部出力／入力端子部６３を経由して、不要な電流が流れてしまうことを防止することができる。
【０２４０】
ただし、本発明の形態の電磁リレー１００は、接極子４１は、固定端子部５１２（５３４）と可動端子部４７（４８）とが電気的に接続されているときに、補助可動端子部６５と補助固定端子部６２４３とが電気的に接続されているように、可動端子部４７（４８）および補助可動端子部６５のそれぞれを移動させるものであってもよい。
【０２４１】
（８）  補助可動端子部６５は、下方から上方に向かって押し上げられることにより、補助固定端子部６２４３（たとえば、補助外部入力／出力端子部６４）に電気的に接続されてもよい（第１の例〜第６の例のすべてに共通）。
【０２４２】
上記の構成によれば、補助固定端子部６２４３（たとえば、補助外部入力／出力端子部６４）の自重を利用して、補助可動端子部６５と補助固定端子部６２４３（たとえば、補助外部入力／出力端子部６４）との電気的接続を良好にすることができる。
【０２４３】
（９）  電磁リレー１００は、可動端子部４７（４８）および補助可動端子部６５を移動させるように接極子４１を駆動する電磁力を生じさせる電磁石部２０を備えていてもよい。この場合、補助可動端子部６５および補助固定端子部６２４３のそれぞれが、電磁石部２０の巻き線２５が巻き付けられたボビン２１によって直接的にまたは間接的に支持されていてもよい。
【０２４４】
上記の構成によれば、電磁リレー１００の既存の部品であるボビン２１を利用して、補助可動端子部６５および補助固定端子部６２４３を設置することができる。
【０２４５】
「補助可動端子部６５および補助固定端子部６２４３がボビン２１によって直接的に支持されている」とは、補助可動端子部６５および補助固定端子部６２４３が、ボビン２１に直接的に接触している状態を意味する。また、「補助可動端子部６５および補助固定端子部６２４３がボビン２１によって間接的に支持されている」とは、補助可動端子部６５および補助固定端子部６２４３が、それらとボビン２１との間に何らかの別部材が挟まれた状態を意味する。
【０２４６】
また、通常、ボビン２１は、上鍔部２２と下鍔部２３とを有している。そのため、多くの電磁リレー１００においては、上鍔部２２の上方に接極子４１が位置付けられている。そのため、補助固定端子部６２４３および補助可動端子部６５は、ボビン２１上に直接的に、または、ボビン２１に設けられた他の材料の上に設置されていることが望ましい。
【０２４７】
これによれば、接極子４１から可動端子部４７（４８）までの距離を短くすることができる。そのため、可動端子部４７（４８）を移動させるために接極子４１に直接的または間接的に設けられた別部材、または、可動端子部４７（４８）を移動させるための接極子４１の部分の長さを短くすることができる。そのため、そのような別部材または接極子４１の部分のたわみを抑制することができる。
【０２４８】
（１０）  電磁リレー１００は、可動端子部４７（４８）および補助可動端子部６５を移動させるように接極子４１を駆動する電磁力を生じさせる電磁石部２０を備えていてもよい。また、電磁リレー１００は、固定端子部５１２（５３４）、可動端子部４７（４８）、補助固定端子部６２４３、補助可動端子部６５、接極子４１、および電磁石部２０を直接的または間接的に支持する土台部を備えていてもよい。土台部は、上記実施の形態のボディ１０である。外部入力／出力端子部５１（５３）の先端部５１ａ（５３ａ）、外部出力／入力端子部５２（５４）の先端部５２ａ（５４ａ）、補助外部入力／出力端子部６２の先端部６２ａ、および補助外部出力／入力端子部６３の先端部６３ａのそれぞれは、ボディ１０から外部へ突出している。
【０２４９】
一般に、プリント配線基板１０００にボディ１０の底面が接触するように電磁リレー１００が搭載される。この場合には、先端部５１ａ（５３ａ），５２ａ（５４ａ），６２ａ，６３ａのそれぞれとプリント配線基板１０００との間の距離を短くすることができる。
【０２５０】
また、上記した「直接的に支持する」とは、ボディ１０に接極子４１または電磁石部２０が直接接触することによりボディ１０によって支持されていることを意味する。上記した「間接的に支持する」とは、ボディ１０と接極子４１または電磁石部２０との間に何らかの部材が挟まれた状態で、接極子４１または電磁石部２０がボディ１０によって支持されることを意味する。
【０２５１】
（１１）  補助固定端子部６２４３が、ボディ１０によって直接的にまたは間接的に支持されていてもよい。
【０２５２】
上記の構成によれば、既存の部品であるボディ１０を利用して、補助可動端子部を設置することができる。具体的には、図３９に示すように補助外部入力／出力端子部６２００および補助外部出力／入力端子部６３００をボディ１０に固定してもよい。
【０２５３】
「補助固定端子部６２４３がボディ１０によって直接的に支持されている」とは、補助固定端子部６２４３が、ボディ１０に直接的に接触することにより、ボディ１０に支持されている状態を意味する。また、「補助固定端子部６２４３がボディ１０によって間接的に支持されている」とは、補助固定端子部６２４３が、それとボディ１０との間に何らかの部材が挟まれた状態で、ボディ１０に間接的に支持された状態を意味する。
【０２５４】
（１２）  電磁リレー１００は、固定端子部５１２（５３４）、可動端子部４７（４８）、補助固定端子６３２４、補助可動端子部６５、接極子４１、および電磁石部２０を内包するようにボディ１０に取り付けられたカバー１を備えていてもよい。
【０２５５】
この場合、可動端子部４７（４８）および固定端子部５１２（５３４）は、カバー１とボディ１０とによって内包されている。そのため、カバー１が不透明であれば、電磁リレー１００の内部構造は、電磁リレー１００の外部から視覚によって認識され得ない。したがって、電磁リレー１００を視覚による認識だけでは、可動端子部４７（４８）と固定端子部５１２（５３４）との間で溶着が生じているか否かを発見することはできない。
【０２５６】
なお、「カバー１とボディ１０とによって内包されている」とは、可動端子部４７（４８）および固定端子部５１２（５３４）の動作不良（溶着）の有無を電磁リレー１００の外部から視覚によって認識され得ない状態を含む。また、「直接視覚によって認識され得ない状態」は、可動端子部４７（４８）および固定端子部５１２（５３４）の動作不良（溶着）の有無を間接的に外部から把握することができない状態を含む。「動作不良（溶着）の有無を間接的に外部から把握することができない状態」は、可動端子部４７（４８）および固定端子部５１２（５３４）以外の他の部材、たとえば、接極子４１の状態等の状態を視覚によって認識することができない状態等を含む。
【０２５７】
したがって、上記したカバー１は、電磁リレー１００の内部構造を完全に隠すものだけではない。上記したカバー１は、電磁リレー１００の内部構造の一部を視覚によって認識することはできるが、可動端子部４７（４８）および固定端子部５１２（５３４）の動作不良（溶着）の有無を特定できないものも含んでいる。
【０２５８】
上記の構成によれば、電磁リレー１００の外部から補助外部入力／出力端子部６２の先端部６２ａおよび補助外部出力／入力端子部６３の先端部６３ａのそれぞれに検査装置の電極を電気的に接続することができる。それにより、検査装置により補助外部入力／出力端子部６２の先端部６２ａと補助外部出力／入力端子部６３の先端部６３ａとの間で電流を流すことができる。
【０２５９】
その結果、先端部６２ａと先端部６３ａとの間で電流が流れるか否かによって、可動端子部４７（４８）と固定端子部５１２（５３４）との間で溶着が生じているか否かを推定することができる。したがって、カバー１をボディ１０から取り外すことなく、可動端子部４７（４８）と固定端子部５１２（５３４））との溶着の有無を検出することができる。
【０２６０】
上記の構成によれば、カバー１とボディ１０とによって内包され、外部から視認することができない可動端子部４７（４８）と固定端子部５１２（５３４））との溶着の発生の有無を検出することができる。
【０２６１】
なお、上記においては、ボディ１０から下方に向かって先端部５１ａ（５３ａ），５２ａ（５４ａ），６２ａ，６３ａが外部へ突出する電磁リレー１００が示されている。しかしながら、本発明の電磁リレー１００は、これに限定されない。本発明の電磁リレー１００は、補助可動端子部と補助固定端子部とを利用して、可動端子部と固定端子部との動作不良、たとえば、溶着を検出することができるものであれば、いかなるものであってもよい。
【０２６２】
たとえば、本発明の電磁リレー１００は、カバー１から先端部５１ａ（５３ａ），５２ａ（５４ａ），６２ａ，６３ａが外部へ突出する電磁リレーであってもよい。この場合、電磁リレー１００から突出する先端部５１ａ（５３ａ），５２ａ（５４ａ），６２ａ，６３ａへの検査装置の電極を接触させることが容易になる。
【０２６３】
（１３）  カバー１は、実質的に長方体形状の内部空間を有していてもよい。この場合、補助固定端子部６２４３は、平面視において、カバー１の４つの角部のうちの可動端子部４７（４８）よりも電磁石部２０に近い角部１０ｂ，１０ｃ（図１８参照）と電磁石部２０との間の空間に設けられていてもよい。
【０２６４】
上記の構成によれば、カバー１内のスペースを有効に利用して、補助固定端子部６２４３を設置することができる。
【０２６５】
また、補助固定端子部６２４３は、平面視において、仕切壁部１４よりも電磁石部２０側に位置付けられたカバー１の角部（ボディの角部１０ｂ，１０ｃに対応）と巻き線２５の中心位置Ｃとを結ぶ線上に位置付けられていることが望ましい。具体的には、実施の形態１の説明で用いた図１８における中心Ｃと矩形の輪郭を有するボディ１０の角部１０ｂおよび１０ｃのそれぞれとの間に補助外部入力／出力端子部６２および補助出力／入力端子部６３が設けられている。  なお、図１８は、基本的に実施の形態１の電磁リレー１００の説明のために用いられているが、便宜的に実施の形態２の電磁リレー１００の補助外部入力／出力端子部６２および補助外部出力／入力端子部６３の断面も描かれている。
【０２６６】
上記した「実質的に直方体形状」とは、直方体の角部が丸まっているものも含み、各辺が直行する厳密な意味での直方体に限定されない。「実質的に直方体形状」とは、いくつかの辺が他の辺に対して多少傾斜していたりするが、なお全体として、直方体形状であると認識できるものを含む意味である。
【０２６７】
本願の発明者が非公開の技術として検討していた、実施の形態１の電磁リレー１００における可動端子部４７（４８）と固定端子部５１２（５３４）との動作不良の発生の有無を検出する方法は、次のようなものである。
【０２６８】
まず、電磁リレー１００がＯＦＦされる。このとき、可動端子部と固定端子部とは、接触しているはずである。この状態で、検査装置を用いて外部入力／出力端子部５１（５３）の先端部５１ａ（５３ａ）から固定端子部５１２（５３４）の外部入力／出力端子部５１（５３）の先端部５１ａ（５３ａ）へ電流を流すことが試みられる。つまり、電磁リレー１００がＯＦＦにされた状態で、先端部５１ａ（５３ａ）から先端部５２ａ（５４ａ）へ電流が流れるか否かが検出される。
【０２６９】
その結果、電磁リレー１００がＯＦＦの状態で、先端部５１ａ（５３ａ）から先端部５２ａ（５４ａ）へ流れることが検出された場合、可動端子部４７（４８）と固定端子部５１２（５３４）との溶着が発生していないと判断される。
【０２７０】
一方、先端部５１ａ（５３ａ）から先端部５２ａ（５４ａ）へ流れることが検出されない場合、可動端子部４７（４８）と固定端子部５１２（５３４）との溶着が発生していると判断される。可動端子部４７（４８）と固定端子部５１２（５３４）との溶着の発生が発生していなければ、電磁リレー１００がＯＦＦの状態では、先端部５１ａ（５３ａ）から先端部５２ａ（５４ａ）へ流れないはずだからである。
【０２７１】
上記した本願の発明者が非公開の技術として検討していた溶着の検査方法によれば、電磁リレー１００を一旦ＯＦＦ状態にした上で、溶着の発生の有無を検査する必要がある。しかしながら、電磁リレー１００をＯＦＦ状態にすることなく、溶着の有無を検査することができることが望ましい。そのため、可動端子部４７（４８）と固定端子部５１２（５３４）との溶着の発生の有無を検出するための専用の補助端子を電磁リレー１００に設ける必要がある。
【０２７２】
上記した必要性に対応するために、本願の発明者らは、電磁リレー１００において電流を流すために用いられる複数の使用可能端子部を１つ余分に設けておくことを検討した。同一形状を有する複数の使用可能端子部のうちのいずれか１つを、可動端子部と固定端子部との溶着の発生の有無を検出するための専用の補助端子部として使用できるからである。しかしながら、この場合、検査作業員は、本来電磁リレー１００において使用されている端子と、補助端子部とを視覚によって識別することができない。
【０２７３】
そこで、本願の発明者は、次のように、本来電磁リレー１００において使用されている端子部と、溶着の発生の有無を検出するための補助端子部とを視覚によって識別することができるようにしている。その構成および効果は、次のようなものである。
【０２７４】
（１４）  補助外部入力／出力端子部６２の先端部６２ａおよび補助外部出力／入力端子部６３の先端部６３ａのそれぞれは、外部入力／出力端子部５１（５３）の先端部５１ａ（５３ａ）および外部出力／入力端子部５２（５４）の先端部５２ａ（５４ａ）のそれぞれから視覚によって識別され得る外観を有していてもよい。
【０２７５】
上記の構成によれば、電磁リレー１００の外観から、すなわち、ボディ１０の底面を見ただけで、補助外部入力／出力端子部６２および補助外部出力／入力端子部６３を特定することができる。
【０２７６】
前述の視覚によって識別され得る外観は、形状、色、形、位置、および配置等、電磁リレー１００の使用者が視覚を通じて他のものと区別できる態様であれば、いかなるものであってもよい。
【０２７７】
（１５）  補助外部入力／出力端子部６２の先端部６２ａおよび補助外部出力／入力端子部６３の先端部６３ａは、ぞれぞれの断面積において、外部入力／出力端子部５１（５３）の先端部５１ａ（５３ａ）および外部出力／入力端子部５２（５４）の先端部５２ａ（５４ａ）よりも小さくてもよい。
【０２７８】
上記の構成によれば、補助外部入力／出力端子部６２および補助外部出力／入力端子部６３に流す電流を小さくすることができる。そのため、検査のための消費電力を軽減することができる。
【０２７９】
（１６）  外部入力／出力端子部５１（５３）の先端部５１ａ（５３ａ）と外部出力／入力端子部５２（５４）の先端部５２ａ（５４ａ）とを結ぶ仮想の直線は、補助外部入力／出力端子部６２の先端部６２ａと補助外部出力／入力端子部６３の先端部６３ａとを結ぶ仮想の直線に実質的に平行であってもよい。
【０２８０】
「実質的に平行」とは、仮想の平行線同士が厳密な意味で平行ではなくてよく、多少の製造誤差が許容されることを意味する。
【０２８１】
上記の構成によれば、プリント配線基板１０００上において電磁リレー１００から引き出される複数の入力／出力配線を互いに平行に配置することが可能になる。具体的には、先端部５１ａ（５３ａ）および先端部５２ａ（５４ａ）のそれぞれから引き出される配線と、先端部６２ａおよび先端部６３ａのそれぞれから引き出される出力／入力配線とを互いに平行に配置することが可能になる。
【０２８２】
（１７）  実施の形態２の他の局面の電磁リレー１００は、次の（ｉ）〜（vii）の構成を備えている。
【０２８３】
（ｉ）  外部入力／出力端子部５１と、外部入力／出力端子部５１に電気的に接続され得る外部出力／入力端子部５２と、を有する固定端子部５１２
（ii）  外部入力／出力端子部５１と外部出力／入力端子部５２とを電気的に接続させ得る可動端子部４７
（iii）  他の外部入力／出力端子部５３と、他の外部入力／出力端子部５３に電気的に接続され得る他の外部出力／入力端子部５４と、を有する他の固定端子部５３４
（iv）  他の外部入力／出力端子部５３と他の外部出力／入力端子部５４とを電気的に接続させ得る他の可動端子部４８
（ｖ）  固定端子部５１２および他の固定端子部５３４とは異なる形態を有する端子部であって、補助外部入力／出力端子部６２と、補助外部入力／出力端子部６２に電気的に接続され得る補助外部出力／入力端子部６３と、を有する補助固定端子部６２４３
（vi）  可動端子部４７および他の可動端子部４８とは異なる形態を有する端子部であって、補助外部入力／出力端子部６２と補助外部出力／入力端子部６３とを電気的に接続させ得る補助可動端子部６５，６６０，６５００
（vii）  可動端子部４７が外部入力／出力端子部５１および外部出力／入力端子部５２のそれぞれに電気的に接続されるか否かを切り替え、かつ、他の可動端子部４８が外部入力／出力端子部５３および他の外部出力／入力端子部５４のそれぞれに電気的に接続されるか否かを切り替える場合に、補助可動端子部６５が補助外部入力／出力端子部６２および補助外部出力／入力端子部６３のそれぞれに電気的に接続されるか否かを切り替えるように、可動端子部４７、他の可動端子部４８、および補助可動端子部６５のそれぞれを移動させる接極子４１
上記の（ｉ）〜（vii）の構成によれば、補助外部入力／出力端子部６２の先端部６２ａおよび補助外部出力／入力端子部６３の先端部６３ａを動作不良の検出用端子として用いることができる。検出する動作不良は、可動端子部４７および固定端子部５１２の動作不良、および、他の可動端子部４８および他の固定端子部５３４の少なくともいずれか一方の動作不良である。
【０２８４】
（１８）  電磁リレー１００は、可動端子部４７、他の可動端子部４８、および補助可動端子部６５を移動させるように接極子４１を駆動する電磁力を生じさせる電磁石部２０を備えていてもよい。
【０２８５】
また、電磁リレー１００は、土台部を備えていてもよい。土台部は、固定端子部５１２、他の固定端子部５３４、可動端子部４７、他の可動端子部４８、補助固定端子部６２４３、補助可動端子部６５、接極子４１、および電磁石部２０を直接的または間接的に支持するものであってもよい。この土台部は、上記実施の形態のボディ１０であってもよい。外部入力／出力端子部５１の先端部５１ａ、外部出力／入力端子部５２の先端部５２ａ、外部入力／出力端子部５３の先端部５３ａ、外部出力／入力端子部５４の先端部５４ａ、補助外部入力／出力端子部６２の先端部６２ａ、および補助外部出力／入力端子部６３の先端部６３ａのそれぞれは、ボディ１０から外部へ突出していてもよい。
【０２８６】
さらに、電磁リレー１００は、カバー１を備えていてもよい。カバー１は、固定端子部５１２、他の固定端子部５３４、可動端子部４７、他の可動端子部４８、補助固定端子６３２４、補助可動端子部６５、接極子４１、および電磁石部２０を内包するようにボディ１０に取り付けられていてもよい。
【０２８７】
前述の先端部６２ａおよび先端部６３ａのそれぞれは、先端部５１ａ、先端部５２ａ、先端部５３ａ、および先端部５４ａのそれぞれから視覚によって識別され得る外観を有していることが望ましい。
【０２８８】
上記の構成によれば、先端部６２ａおよび先端部６３ａは、他の端子部の先端部５１ａ，５２，５３ａ，５４から容易に識別され得る。したがって、先端部６２ａおよび先端部６３ａを用いての検査を迅速に行うことができる。
【０２８９】
（１９）  可動端子部４７および他の可動端子部４８が、平面視において、仮想の直線上に実質的に一列に並ぶように設けられ、電磁力によって仮想の直線を横切る方向に移動するものであってもよい。
【０２９０】
実質的に一列とは、可動端子部４７および他の可動端子部４８が、厳密に一列に並んでおらず、多少直線からずれていてもよいことを意味する。したがって、可動端子部４７および他の可動端子部４８は、全体として、仮想の直線に沿っておおよそ一列に並んでいると認識され得る状態に配置されているのであればよい。これは、可動端子部４７および他の可動端子部４８の製造上の誤差が許容されることを意味する。
【０２９１】
上記の構成によれば、可動端子部４７と他の可動端子部４８とが、それらが移動する方向において間隔をあけて複数列に並べられた電磁リレー１００に比較して、平面視における仮想の直線に垂直な方向の電磁リレー１００の長さを短くすることができる。
【０２９２】
なお、本発明の電磁リレーは、可動端子部４７と他の可動端子部４８とが複数列を構成するように並べられた電磁リレーを含んでいる。この電磁リレーによっても、上記した本実施の形態の電磁リレー１００により得られる効果と同様の効果が得られる。
【０２９３】
また、上記の実施の形態においては、２つの可動端子部が設けられている例が示されている。しかしながら、本発明の電磁リレーは、３以上の可動端子部が設けられているものであってもよい。つまり、本発明の電磁リレーは、複数の可動端子部が一例に並べられたものを含む。また、本発明の電磁リレーは、直線上に並べられた複数の可動端子部のセットが、複数例に並べられたものを含む。
【０２９４】
（２０）  ボディ１０をそのボディ１０の底面に垂直な方向に沿って見た場合を考える。この場合、次の（i）および（ii）の距離を比較する。
【０２９５】
（ｉ）  先端部６２ａおよび先端部６３ａのそれぞれと、先端部５１ａ、先端部５２ａ、先端部５３ａ、および先端部５４ａのそれぞれとの間の距離
（ii）  先端部５１ａ、先端部５２ａ、先端部５３ａ、および先端部５４ａ同士の間の距離
距離（ｉ）は、距離（ii）よりも大きいことが望ましい。これによれば、先端部５１ａ、先端部５２ａ、先端部５３ａ、および先端部５４ａに流れる電流が、電磁的な干渉によって、先端部６２ａと先端部６３ａとの間で流れる電流へ与える悪影響を低減することができる。
【０２９６】
（２１）  電磁リレー１００は、電磁石部２０の巻き線２５の両端部にそれぞれ接続され、ボディ１０から突出する一対のコイル端子部２５ａ１，２５ａ２を備えていてもよい。この場合、補助外部入力／出力端子部６２の先端部６２ａおよび補助外部出力／入力端子部６３の先端部６３ａは、一対のコイル端子部２５ａ１，２５ａ２のそれぞれから視覚によって識別され得る外観を有していることが望ましい。
【０２９７】
上記の構成によれば、先端部６２ａおよび先端部６３ａを一対のコイル端子部２５ａ１，２５ａ２から容易に識別することができる。
【０２９８】
（２２）  電磁リレー１００は、ボディ１０の底面を該ボディに垂直な方向に沿って見たときに、その底面は、先端部５１ａ，５２ａ，５３ａ，５４ａを他の端子部から識別できる形状または図柄を有していてもよい。
【０２９９】
上記の構成によれば、上述の検査装置を用いての検査作業を迅速に行うことができる。
【０３００】
前述の形状または図柄は、先端部６２ａおよび先端部６３ａが先端部５１ａ，５２ａ，５３ａ，５４ａから識別され得る態様であれば、ボディ１０の底面に設けられた凹凸形状、色、または模様等のいかなるものであってもよい。
【０３０１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【０３０２】
１  カバー
１０  ボディ
２０  電磁石部
１４  仕切壁部
２１  ボビン
２５  巻き線
４１  接極子
４１ａ，６１，６１０，６６００，６７００  補助駆動部
４２  ホルダー
４３ａ１，４４ａ１  第１の片持ち梁部
４３ａ２，４４ａ２  第２の片持ち梁部
４３ｂ１，４４ｂ１  第３の片持ち梁部
４３ｂ２，４４ｂ２  第４の片持ち梁部
４３ａ３，４４ａ３  第１梁−第２梁接続部
４３ｂ３，４４ｂ３  第３梁−第４梁接続部
４３ａｂ１，４４ａｂ１  第１の合成片持ち梁部
４３ａｂ２，４４ａｂ２  第２の合成片持ち梁部
４７，４８  可動端子部
５１，５３  外部入力／出力端子部
５１ａ，５２ａ，５３ａ，５４ａ  先端部
５１ｂ，５２ｂ，５３ｂ，５４ｂ  固定接点
５１ｃ，５２ｃ，５３ｃ，５４ｃ  立上り部
５１ｄ，５２ｄ，５３ｄ，５４ｄ  水平部
５２，５４  外部出力／入力端子部
５１２，５３４  固定端子部
６２  補助外部入力／出力端子部
６２ａ，６３ａ  先端部
６３  補助外部出力／入力端子部
６５，６６０,６５００  補助可動端子部
１００  電磁リレー
６２４３  補助固定端子部
【図１】
2015115248.tif 000003
【図２】
2015115248.tif 000004
【図３】
2015115248.tif 000005
【図４】
2015115248.tif 000006
【図５】
2015115248.tif 000007
【図６】
2015115248.tif 000008
【図７】
2015115248.tif 000009
【図８】
2015115248.tif 000010
【図９】
2015115248.tif 000011
【図１０】
2015115248.tif 000012
【図１１】
2015115248.tif 000013
【図１２】
2015115248.tif 000014
【図１３】
2015115248.tif 000015
【図１４】
2015115248.tif 000016
【図１５】
2015115248.tif 000017
【図１６】
2015115248.tif 000018
【図１７】
2015115248.tif 000019
【図１８】
2015115248.tif 000020
【図１９】
2015115248.tif 000021
【図２０】
2015115248.tif 000022
【図２１】
2015115248.tif 000023
【図２２】
2015115248.tif 000024
【図２３】
2015115248.tif 000025
【図２４】
2015115248.tif 000026
【図２５】
2015115248.tif 000027
【図２６】
2015115248.tif 000028
【図２７】
2015115248.tif 000029
【図２８】
2015115248.tif 000030
【図２９】
2015115248.tif 000031
【図３０】
2015115248.tif 000032
【図３１】
2015115248.tif 000033
【図３２】
2015115248.tif 000034
【図３３】
2015115248.tif 000035
【図３４】
2015115248.tif 000036
【図３５】
2015115248.tif 000037
【図３６】
2015115248.tif 000038
【図３７】
2015115248.tif 000039
【図３８】
2015115248.tif 000040
【図３９】
2015115248.tif 000041
【図４０】
2015115248.tif 000042
【図４１】
2015115248.tif 000043
【図４２】
2015115248.tif 000044
【図４３】
2015115248.tif 000045
【図４４】
2015115248.tif 000046
【図４５】
2015115248.tif 000047